(57)【要約】【課題】ヘッドスピードを調整して打撃した場合であっても、番手間の相対的な飛距離が変わらないゴルフクラブセットおよびゴルフクラブシャフトセットを提供する。【解決手段】本発明のゴルフクラブセットは、ロフト角度が互いに異なる複数本のゴルフクラブからなる。この複数本のゴルフクラブのうち、少なくとも３本のゴルフクラブは、ゴルフクラブヘッドが取り付けられるゴルフクラブシャフトの一方の端部を固定した状態で、ゴルフクラブシャフトの他方の端部を振動させた際の共振周波数の大きさが、ゴルフクラブの番手またはロフト角度の大きさの順序に対応して設定されている（直線Ａ）。また、本発明のゴルフクラブシャフトセットの各ゴルフクラブシャフトは、適用すべきゴルフクラブの番手が設定されており、上記共振周波数の大きさが番手の順序に対応して設定されている。【選択図】図１
2004216108.tif 000002
【特許請求の範囲】
【請求項１】
ロフト角度が互いに異なる複数本のゴルフクラブからなるゴルフクラブセットであって、
前記複数本のゴルフクラブのうち、少なくとも３本のゴルフクラブは、ゴルフクラブヘッドが取り付けられるゴルフクラブシャフトの後端部を固定した状態で、前記ゴルフクラブシャフトの先端部を振動させた際の共振周波数の大きさが前記ゴルフクラブの番手の順番に対応して設定されていることを特徴とするゴルフクラブセット。
【請求項２】
前記共振周波数は、前記ゴルフクラブの番手の順番に対応して略線形的に増加または減少するように設定されている請求項１に記載のゴルフクラブセット。
【請求項３】
前記共振周波数は、１次共振周波数である請求項１または２に記載のゴルフクラブセット。
【請求項４】
ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの後端部を固定して、前記ゴルフクラブシャフトの先端部を振動させた際の１次共振周波数との関係を、前記群について直線で回帰した場合、前記群における１次共振周波数の推定誤差は、いずれのゴルフクラブについても０．４Ｈｚ以下である請求項３に記載のゴルフクラブセット。
【請求項５】
前記番号の変化に対する前記１次共振周波数の変化である前記直線の傾きは、１より大きい請求項４に記載のゴルフクラブセット。
【請求項６】
前記番号の変化に対する前記１次共振周波数の変化である前記直線の傾きは、１以下である請求項４に記載のゴルフクラブセット。
【請求項７】
前記共振周波数は、２次共振周波数である請求項１または２に記載のゴルフクラブセット。
【請求項８】
ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの後端部を固定して、前記ゴルフクラブシャフトの先端部を振動させた際の２次共振周波数との関係を、前記群について直線で回帰した場合、前記群における２次共振周波数の推定誤差は、いずれのゴルフクラブについても２．０Ｈｚ以下である請求項７に記載のゴルフクラブセット。
【請求項９】
前記番号の変化に対する前記２次共振周波数の変化である前記直線の傾きは、４より大きい請求項８に記載のゴルフクラブセット。
【請求項１０】
前記番号の変化に対する前記２次共振周波数の変化である前記直線の傾きは、４以下である請求項８に記載のゴルフクラブセット。
【請求項１１】
ロフト角度が互いに異なる複数本のゴルフクラブからなるゴルフクラブセットであって、
前記複数本のゴルフクラブのうち、少なくとも３本のゴルフクラブは、ゴルフクラブヘッドが取り付けられるゴルフクラブシャフトの後端部を固定した状態で、前記ゴルフクラブシャフトの先端部を振動させた際の共振周波数の大きさが前記ゴルフクラブの前記ロフト角度の大きさに対応して設定されていることを特徴とするゴルフクラブセット。
【請求項１２】
前記共振周波数は、ゴルフクラブヘッドのロフト角度の大きさに対応して略線形的に増加または減少するように設定されている請求項１１に記載のゴルフクラブセット。
【請求項１３】
前記共振周波数は、１次共振周波数である請求項１１または１２に記載のゴルフクラブセット。
【請求項１４】
ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの後端部を固定して、前記ゴルフクラブシャフトの先端部を振動させた際の１次共振周波数との関係を、前記群について直線で回帰した場合、前記群における１次共振周波数の推定誤差が０．４Ｈｚ以下である請求項１３に記載のゴルフクラブセット。
【請求項１５】
前記ロフト角度の変化に対する前記１次共振周波数の変化である前記直線の傾きは、０．２５より大きい請求項１４に記載のゴルフクラブセット。
【請求項１６】
前記ロフト角度の変化に対する前記１次共振周波数の変化である前記直線の傾きは、０．２５以下である請求項１４に記載のゴルフクラブセット。
【請求項１７】
前記共振周波数は、２次共振周波数である請求項１１または１２に記載のゴルフクラブセット。
【請求項１８】
ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの後端部を固定して、前記ゴルフクラブシャフトの先端部を振動させた際の２次共振周波数との関係を、前記群について直線で回帰した場合、前記群における２次共振周波数の推定誤差が２．０Ｈｚ以下である請求項１７に記載のゴルフクラブセット。
【請求項１９】
前記ロフト角度の変化に対する前記２次共振周波数の変化である前記直線の傾きは、１より大きい請求項１８に記載のゴルフクラブセット。
【請求項２０】
前記ロフト角度の変化に対する前記２次共振周波数の変化である前記直線の傾きは、１以下である請求項１８に記載のゴルフクラブセット。
【請求項２１】
ロフト角度が互いに異なる複数本のゴルフクラブからなるゴルフクラブセットであって、
前記複数本のゴルフクラブのうち、少なくとも３本のゴルフクラブは、ゴルフクラブヘッドが取り付けられるゴルフクラブシャフトの先端部を固定した状態で、前記ゴルフクラブシャフトの後端部を振動させた際の共振周波数の大きさが前記ゴルフクラブの番手の順番に対応して設定されていることを特徴とするゴルフクラブセット。
【請求項２２】
前記共振周波数は、前記ゴルフクラブの番手の順番に対応して略線形的に増加または減少するように設定されている請求項２１に記載のゴルフクラブセット。
【請求項２３】
前記共振周波数は、１次共振周波数である請求項２１または２２に記載のゴルフクラブセット。
【請求項２４】
ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの先端部を固定して、前記ゴルフクラブシャフトの後端部を振動させた際の１次共振周波数との関係を、前記群について直線で回帰した場合、前記群における１次共振周波数の推定誤差は、いずれのゴルフクラブについても０．３Ｈｚ以下である請求項２３に記載のゴルフクラブセット。
【請求項２５】
前記番号の変化に対する前記１次共振周波数の変化である前記直線の傾きは、０．５より大きい請求項２４に記載のゴルフクラブセット。
【請求項２６】
前記番号の変化に対する前記１次共振周波数の変化である前記直線の傾きは、０．５以下である請求項２４に記載のゴルフクラブセット。
【請求項２７】
前記共振周波数は、２次共振周波数である請求項２１または２２に記載のゴルフクラブセット。
【請求項２８】
ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの先端部を固定して、前記ゴルフクラブシャフトの後端部を振動させた際の２次共振周波数との関係を、前記群について直線で回帰した場合、前記群における２次共振周波数の推定誤差は、いずれのゴルフクラブについても２．０Ｈｚ以下である請求項２７に記載のゴルフクラブセット。
【請求項２９】
前記番号の変化に対する前記２次共振周波数の変化である前記直線の傾きは、４より大きい請求項２８に記載のゴルフクラブセット。
【請求項３０】
前記番号の変化に対する前記２次共振周波数の変化である前記直線の傾きは、４以下である請求項２８に記載のゴルフクラブセット。
【請求項３１】
ロフト角度が互いに異なる複数本のゴルフクラブからなるゴルフクラブセットであって、
前記複数本のゴルフクラブのうち、少なくとも３本のゴルフクラブは、ゴルフクラブヘッドが取り付けられるゴルフクラブシャフトの先端部を固定した状態で、前記ゴルフクラブシャフトの後端部を振動させた際の共振周波数の大きさが前記ゴルフクラブの前記ロフト角度の大きさに対応して設定されていることを特徴とするゴルフクラブセット。
【請求項３２】
前記共振周波数は、ゴルフクラブヘッドのロフト角度の大きさに対応して略線形的に増加または減少するように設定されている請求項３１に記載のゴルフクラブセット。
【請求項３３】
前記共振周波数は、１次共振周波数である請求項３１または３２に記載のゴルフクラブセット。
【請求項３４】
ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの先端部を固定して、前記ゴルフクラブシャフトの後端部を振動させた際の１次共振周波数との関係を、前記群について直線で回帰した場合、前記群における１次共振周波数の推定誤差が０．３Ｈｚ以下である請求項３３に記載のゴルフクラブセット。
【請求項３５】
前記ロフト角度の変化に対する前記１次共振周波数の変化である前記直線の傾きは、０．１２５より大きい請求項３４に記載のゴルフクラブセット。
【請求項３６】
前記ロフト角度の変化に対する前記１次共振周波数の変化である前記直線の傾きは、０．１２５以下である請求項３４に記載のゴルフクラブセット。
【請求項３７】
前記共振周波数は、２次共振周波数である請求項３１または３２に記載のゴルフクラブセット。
【請求項３８】
ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの先端部を固定して、前記ゴルフクラブシャフトの後端部を振動させた際の２次共振周波数との関係を、前記群について直線で回帰した場合、前記群における２次共振周波数の推定誤差が２．０Ｈｚ以下である請求項３７に記載のゴルフクラブセット。
【請求項３９】
前記ロフト角度の変化に対する前記２次共振周波数の変化である前記直線の傾きは、１より大きい請求項３８に記載のゴルフクラブセット。
【請求項４０】
前記ロフト角度の変化に対する前記２次共振周波数の変化である前記直線の傾きは、１以下である請求項３８に記載のゴルフクラブセット。
【請求項４１】
前記ゴルフクラブシャフトは、繊維強化複合材により形成されている請求項１乃至４０のいずれか１項に記載のゴルフクラブセット。
【請求項４２】
複数本のゴルフクラブシャフトからなるゴルフクラブシャフトセットであって、前記ゴルフクラブシャフトのそれぞれは、適用すべきゴルフクラブの番手が設定されており、
前記複数本のゴルフクラブシャフトのうち、少なくとも３本のゴルフクラブシャフトは、前記ゴルフクラブシャフトの後端部を固定した状態で、前記ゴルフクラブシャフトの先端部を振動させた際の共振周波数の大きさが前記ゴルフクラブの番手の順番に対応して設定されていることを特徴とするゴルフクラブシャフトセット。
【請求項４３】
前記共振周波数は、前記ゴルフクラブの番手の順番に対応して略線形的に増加または減少するように設定されている請求項４２に記載のゴルフクラブシャフトセット。
【請求項４４】
前記共振周波数は、１次共振周波数である請求項４２または４３に記載のゴルフクラブシャフトセット。
【請求項４５】
前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの後端部を固定して、前記ゴルフクラブシャフトの先端部を振動させた際の１次共振周波数との関係を、前記群について直線で回帰した場合、前記群における１次共振周波数の推定誤差は、いずれのゴルフクラブシャフトについても０．４Ｈｚ以下である請求項４４に記載のゴルフクラブシャフトセット。
【請求項４６】
前記番号の変化に対する前記１次共振周波数の変化である前記直線の傾きは、１より大きい請求項４５に記載のゴルフクラブシャフトセット。
【請求項４７】
前記番号の変化に対する前記１次共振周波数の変化である前記直線の傾きは、１以下である請求項４５に記載のゴルフクラブシャフトセット。
【請求項４８】
前記ゴルフクラブシャフトは、ロフト角度が１６°乃至４１°のゴルフクラブヘッドに装着されるものであり、前記番手の順番と、前記ロフト角度の大きさの順番とが対応している請求項４５乃至４７のいずれか１項に記載のゴルフクラブシャフトセット。
【請求項４９】
前記共振周波数は、２次共振周波数である請求項４２または４３に記載のゴルフクラブシャフトセット。
【請求項５０】
前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの後端部を固定して、前記ゴルフクラブシャフトの先端部を振動させた際の２次共振周波数との関係を、前記群について直線で回帰した場合、前記群における２次共振周波数の推定誤差は、いずれのゴルフクラブシャフトについても２．０Ｈｚ以下である請求項４９に記載のゴルフクラブシャフトセット。
【請求項５１】
前記番号の変化に対する前記２次共振周波数の変化である前記直線の傾きは、４より大きい請求項５０に記載のゴルフクラブシャフトセット。
【請求項５２】
前記番号の変化に対する前記２次共振周波数の変化である前記直線の傾きは、４以下である請求項５０に記載のゴルフクラブシャフトセット。
【請求項５３】
前記ゴルフクラブシャフトは、ロフト角度が１６°乃至４１°のゴルフクラブヘッドに装着されるものであり、前記番手の順番と、前記ロフト角度の大きさの順番とが対応している請求項５０乃至５２のいずれか１項に記載のゴルフクラブシャフトセット。
【請求項５４】
長さが互いに異なる複数本のゴルフクラブシャフトからなるゴルフクラブシャフトセットであって、
前記複数本のゴルフクラブシャフトのうち、少なくとも３本のゴルフクラブシャフトは、前記ゴルフクラブシャフトの後端部を固定した状態で、前記ゴルフクラブシャフトの先端部を振動させた際の共振周波数の大きさが前記ゴルフクラブシャフトの長さに対応して設定されていることを特徴とするゴルフクラブシャフトセット。
【請求項５５】
前記共振周波数は、ゴルフクラブシャフトの長さに対応して略線形的に増加または減少するように設定されている請求項５４に記載のゴルフクラブシャフトセット。
【請求項５６】
前記共振周波数は、１次共振周波数である請求項５４または５５に記載のゴルフクラブシャフトセット。
【請求項５７】
前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの後端部を固定して、前記ゴルフクラブシャフトの先端部を振動させた際の１次共振周波数との関係を、前記群について直線で回帰した場合、前記群における１次共振周波数の推定誤差は、いずれのゴルフクラブシャフトについても０．４Ｈｚ以下である請求項５６に記載のゴルフクラブシャフトセット。
【請求項５８】
前記ゴルフクラブシャフトの長さの変化に対する前記１次共振周波数の変化である前記直線の傾きは、−０．０８未満である請求項５７に記載のゴルフクラブシャフトセット。
【請求項５９】
前記ゴルフクラブシャフトの長さの変化に対する前記１次共振周波数の変化である前記直線の傾きは、−０．０８以上である請求項５７に記載のゴルフクラブシャフトセット。
【請求項６０】
前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応している請求項５７乃至５９のいずれか１項に記載のゴルフクラブシャフトセット。
【請求項６１】
前記共振周波数は、２次共振周波数である請求項５４または５５に記載のゴルフクラブシャフトセット。
【請求項６２】
前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの後端部を固定して、前記ゴルフクラブシャフトの先端部を振動させた際の２次共振周波数との関係を、前記群について直線で回帰した場合、前記群における２次共振周波数の推定誤差は、いずれのゴルフクラブシャフトについても２．０Ｈｚ以下である請求項６１に記載のゴルフクラブシャフトセット。
【請求項６３】
前記ゴルフクラブシャフトの長さの変化に対する前記２次共振周波数の変化である前記直線の傾きは、−０．３２未満である請求項６２に記載のゴルフクラブシャフトセット。
【請求項６４】
前記ゴルフクラブシャフトの長さの変化に対する前記２次共振周波数の変化である前記直線の傾きは、−０．３２以上である請求項６２に記載のゴルフクラブシャフトセット。
【請求項６５】
前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応している請求項６２乃至６４のいずれか１項に記載のゴルフクラブシャフトセット。
【請求項６６】
複数本のゴルフクラブシャフトからなるゴルフクラブシャフトセットであって、前記ゴルフクラブシャフトのそれぞれは、適用すべきゴルフクラブの番手が設定されており、
前記複数本のゴルフクラブシャフトのうち、少なくとも３本のゴルフクラブシャフトは、前記ゴルフクラブシャフトの先端部を固定した状態で、前記ゴルフクラブシャフトの後端部を振動させた際の共振周波数の大きさが前記ゴルフクラブの番手の順番に対応して設定されていることを特徴とするゴルフクラブシャフトセット。
【請求項６７】
前記共振周波数は、前記ゴルフクラブの番手の順番に対応して略線形的に増加または減少するように設定されている請求項６６に記載のゴルフクラブシャフトセット。
【請求項６８】
前記共振周波数は、１次共振周波数である請求項６６または６７に記載のゴルフクラブシャフトセット。
【請求項６９】
前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの先端部を固定して、前記ゴルフクラブシャフトの後端部を振動させた際の１次共振周波数との関係を、前記群について直線で回帰した場合、前記群における１次共振周波数の推定誤差は、いずれのゴルフクラブシャフトについても０．３Ｈｚ以下である請求項６８に記載のゴルフクラブシャフトセット。
【請求項７０】
前記番号の変化に対する前記１次共振周波数の変化である前記直線の傾きは、０．５より大きい請求項６９に記載のゴルフクラブシャフトセット。
【請求項７１】
前記番号の変化に対する前記１次共振周波数の変化である前記直線の傾きは、０．５以下である請求項６９に記載のゴルフクラブシャフトセット。
【請求項７２】
前記ゴルフクラブシャフトは、ロフト角度が１６°乃至４１°のゴルフクラブヘッドに装着されるものであり、前記番手の順番と、前記ロフト角度の大きさの順番とが対応している請求項６９乃至７１のいずれか１項に記載のゴルフクラブシャフトセット。
【請求項７３】
前記共振周波数は、２次共振周波数である請求項６６または６７に記載のゴルフクラブシャフトセット。
【請求項７４】
前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの先端部を固定して、前記ゴルフクラブシャフトの後端部を振動させた際の２次共振周波数との関係を、前記群について直線で回帰した場合、前記群における２次共振周波数の推定誤差は、いずれのゴルフクラブシャフトについても２．０Ｈｚ以下である請求項７３に記載のゴルフクラブシャフトセット。
【請求項７５】
前記番号の変化に対する前記２次共振周波数の変化である前記直線の傾きは、４より大きい請求項７４に記載のゴルフクラブシャフトセット。
【請求項７６】
前記番号の変化に対する前記２次共振周波数の変化である前記直線の傾きは、４以下である請求項７４に記載のゴルフクラブシャフトセット。
【請求項７７】
前記ゴルフクラブシャフトは、ロフト角度が１６°乃至４１°のゴルフクラブヘッドに装着されるものであり、前記番手の順番と、前記ロフト角度の大きさの順番とが対応している請求項７４乃至７６のいずれか１項に記載のゴルフクラブシャフトセット。
【請求項７８】
長さが互いに異なる複数本のゴルフクラブシャフトからなるゴルフクラブシャフトセットであって、
前記複数本のゴルフクラブシャフトのうち、少なくとも３本のゴルフクラブシャフトは、前記ゴルフクラブシャフトの先端部を固定した状態で、前記ゴルフクラブシャフトの後端部を振動させた際の共振周波数の大きさが前記ゴルフクラブシャフトの長さに対応して設定されていることを特徴とするゴルフクラブシャフトセット。
【請求項７９】
前記共振周波数は、ゴルフクラブシャフトの長さに対応して略線形的に増加または減少するように設定されている請求項７８に記載のゴルフクラブシャフトセット。
【請求項８０】
前記共振周波数は、１次共振周波数である請求項７８または７９に記載のゴルフクラブシャフトセット。
【請求項８１】
前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの先端部を固定して、前記ゴルフクラブシャフトの後端部を振動させた際の１次共振周波数との関係を、前記群について直線で回帰した場合、前記群における１次共振周波数の推定誤差は、いずれのゴルフクラブシャフトについても０．３Ｈｚ以下である請求項８０に記載のゴルフクラブシャフトセット。
【請求項８２】
前記ゴルフクラブシャフトの長さの変化に対する前記１次共振周波数の変化である前記直線の傾きは、−０．０４未満である請求項８１に記載のゴルフクラブシャフトセット。
【請求項８３】
前記ゴルフクラブシャフトの長さの変化に対する前記１次共振周波数の変化である前記直線の傾きは、−０．０４以上である請求項８１に記載のゴルフクラブシャフトセット。
【請求項８４】
前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応している請求項８１乃至８３のいずれか１項に記載のゴルフクラブシャフトセット。
【請求項８５】
前記共振周波数は、２次共振周波数である請求項７８または７９に記載のゴルフクラブシャフトセット。
【請求項８６】
前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの先端部を固定して、前記ゴルフクラブシャフトの後端部を振動させた際の２次共振周波数との関係を、前記群について直線で回帰した場合、前記群における２次共振周波数の推定誤差は、いずれのゴルフクラブシャフトについても２．０Ｈｚ以下である請求項８５に記載のゴルフクラブシャフトセット。
【請求項８７】
前記ゴルフクラブシャフトの長さの変化に対する前記２次共振周波数の変化である前記直線の傾きは、−０．３２未満である請求項８６に記載のゴルフクラブシャフトセット。
【請求項８８】
前記ゴルフクラブシャフトの長さの変化に対する前記２次共振周波数の変化である前記直線の傾きは、−０．３２以上である請求項８６に記載のゴルフクラブシャフトセット。
【請求項８９】
前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応している請求項８６乃至８８のいずれか１項に記載のゴルフクラブシャフトセット。
【請求項９０】
前記ゴルフクラブシャフトは、繊維強化複合材により形成されている請求項４２乃至８９のいずれか１項に記載のゴルフクラブシャフトセット。
【発明の詳細な説明】
【０００１】
【発明の属する技術分野】
本発明は、番手またはロフト角度が異なる複数本のゴルフクラブをセットとして供給するゴルフクラブセット、および番手または長さが異なる複数本のゴルフクラブシャフトをセットとして供給するゴルフクラブシャフトセットに関し、特に、少なくとも３本のゴルフクラブの共振周波数を番手またはロフト角度に対応させ、少なくとも３本のゴルフクラブシャフトの共振周波数を番手または長さに対応させたゴルフクラブセットおよびゴルフクラブシャフトセットに関する。
【０００２】
【従来の技術】
ゴルファは、より良いゴルフプレイをするために技術を向上させようとする一方、より良いスコアを得るために、より良い性能のゴルフクラブを求める。そのため、ゴルフクラブは常により良い性能が求められている。より良い性能とは、例えば飛距離が出るということ、打ち易いこと、または飛距離の調整がし易いことである。
【０００３】
ところで、ゴルフは、ゴルフクラブのクラブ長さまたはロフト角度の異なる１４本のゴルフクラブを限度として複数本のゴルフクラブを揃えて競技を行うものである。
例えば、１番、３番、５番ウッド等のウッド系ゴルフクラブと、３〜９番のアイアンと、ピッチングウェッジ、サンドウェッジまたはパター等とを揃え、ピンまでの距離に応じてゴルフクラブを適宜選択して打球する。
特に、アイアンの場合、ゴルフボールをピンの周りに正確にショットするために、アイアンの番手によって飛距離が精度良く打ち分けられることが望まれている。
従来より、アイアンについては、後述する方法によってアイアンのゴルフクラブシャフトの振動数を測定し、この振動数によって、アイアンの番手が調和したゴルフクラブセットを提供することが知られている（例えば、特許文献１参照。）。
【０００４】
以下、従来のアイアンのゴルフクラブシャフトの振動数の測定方法について説明する。
先ず、ゴルフクラブのグリップ部を固定把持し、ゴルフクラブヘッドの装着されている先端部を自由端として振動させ、振動によってゴルフクラブシャフトの先端部分が光電管を横切る回数を計数し、１分当たりの横切る回数から振動数を求める。また、ゴルフクラブシャフト単体のグリップの装着される後端部を固定把持し、ゴルフクラブヘッドの装着される先端部に数１００ｇの重りを取り付けて自由端として振動させ、この振動によってゴルフクラブシャフトの先端部が光電管を横切る回数を測り、１分当たりの横切る回数から振動数を求めることもできる。
【０００５】
また、上記方法で計測される振動数は、ゴルフクラブの番手、ゴルフクラブヘッドのロフト角度、またはゴルフクラブのシャフト長さに調和したゴルフクラブセットを形成するための指標となっている。すなわち、この振動数がゴルフクラブの番手に線形的に比例して上昇するようにゴルフクラブセットが提供される。また、上記振動数は、ゴルフクラブシャフト素材を切り出して目標通りにゴルフクラブシャフトが製造されているか否かを確認するためのゴルフクラブシャフトの製造工程における品質管理の一指標とすることもできる。
【０００６】
【特許文献１】
特開昭５２−１２６３２１号公報
【０００７】
【発明が解決しようとする課題】
ところで、ゴルフの戦略的な面から、アイアンにおいては、番手によって飛距離を打ち分ける以外にも、ヘッドスピードを加減することによって飛距離を打ち分けることもしている。しかし、ゴルファが５０％の力（８０％のヘッドスピード）で打撃（スイング）した時のゴルフボールの飛距離が、フルショット（１００％のヘッドスピード）で打撃した場合の飛距離に対する比率が、番手により微妙に異なり、ゴルファにアイアンの番手に対する違和感を与える場合もある。
【０００８】
例えば、上述のように、振動数を測定し、番手間の飛距離を調整しても、６番アイアンでは、ゴルファの７０％のヘッドスピードで打撃した場合に、１００％のヘッドスピードで打撃した場合の７０％の飛距離が得られ、５番では、ゴルファの７０％のヘッドスピードで打撃した場合に、１００％のヘッドスピードで打撃した場合の５５％の飛距離しか得られず、７番では、１００％のヘッドスピードで打撃した場合の８０％の飛距離が得れるということが生じる。
このように、ヘッドスピードを加減して打撃した場合において、ゴルフクラブの番手に対する飛距離の設定に対して、相対的に飛距離の差が出てしまうと、ゴルフクラブの番手に応じた飛距離の打ち分けが非常に困難となるという問題点がある。特にヘッドスピードを加減して飛距離を調整する上級のゴルファにとっては、重要な問題点となる。
【０００９】
そのため、このようなゴルフクラブセットは、番手に応じた機能が十分に発揮できないといった違和感、さらには不信感をゴルファに与え易い。
【００１０】
本発明はかかる問題点に鑑みてなされたものであり、ヘッドスピードを調整して打撃した場合であっても、番手間の相対的な飛距離が変わらないゴルフクラブセットおよびゴルフクラブシャフトセットを提供することを目的とする。
【００１１】
【課題を解決するための手段】
前記目的を達成するために、本発明の第１の態様は、ロフト角度が互いに異なる複数本のゴルフクラブからなるゴルフクラブセットであって、前記複数本のゴルフクラブのうち、少なくとも３本のゴルフクラブは、ゴルフクラブヘッドが取り付けられるゴルフクラブシャフトの後端部を固定した状態で、前記ゴルフクラブシャフトの先端部を振動させた際の共振周波数の大きさが前記ゴルフクラブの番手の順番に対応して設定されていることを特徴とするゴルフクラブセットを提供するものである。
【００１２】
本発明においては、前記共振周波数は、前記ゴルフクラブの番手の順番に対応して略線形的に増加または減少するように設定されていることが好ましい。
【００１３】
また、本発明において、前記共振周波数は、例えば、１次共振周波数である。この場合、ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの後端部を固定して、前記ゴルフクラブシャフトの先端部を振動させた際の１次共振周波数との関係を、前記群について直線で回帰した場合、前記群における１次共振周波数の推定誤差は、いずれのゴルフクラブについても０．４Ｈｚ以下であることが好ましい。
【００１４】
本発明においては、ゴルファのタイプに応じて、前記番号の変化に対する前記１次共振周波数の変化である前記直線の傾きを、例えば、１以下にするか、または１より大きくすることができる。
【００１５】
さらに、本発明において、前記共振周波数は、例えば、２次共振周波数である。この場合、ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの後端部を固定して、前記ゴルフクラブシャフトの先端部を振動させた際の２次共振周波数との関係を、前記群について直線で回帰した場合、前記群における２次共振周波数の推定誤差は、いずれのゴルフクラブについても２．０Ｈｚ以下であることが好ましい。
【００１６】
本発明においては、ゴルファのタイプに応じて、前記番号の変化に対する前記２次共振周波数の変化である前記直線の傾きを、例えば、４より大きくするか、または４以下にすることができる。
【００１７】
本発明の第２の態様は、ロフト角度が互いに異なる複数本のゴルフクラブからなるゴルフクラブセットであって、前記複数本のゴルフクラブのうち、少なくとも３本のゴルフクラブは、ゴルフクラブヘッドが取り付けられるゴルフクラブシャフトの後端部を固定した状態で、前記ゴルフクラブシャフトの先端部を振動させた際の共振周波数の大きさが前記ゴルフクラブの前記ロフト角度の大きさに対応して設定されていることを特徴とするゴルフクラブセットを提供するものである。
【００１８】
本発明においては、前記共振周波数は、ゴルフクラブヘッドのロフト角度の大きさに対応して略線形的に増加または減少するように設定されていることが好ましい。
【００１９】
また、本発明において、前記共振周波数は、例えば、１次共振周波数である。この場合、ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの後端部を固定して、前記ゴルフクラブシャフトの先端部を振動させた際の１次共振周波数との関係を、前記群について直線で回帰した場合、前記群における１次共振周波数の推定誤差が０．４Ｈｚ以下であることが好ましい。
【００２０】
本発明においては、ゴルファのタイプに応じて、前記ロフト角度の変化に対する前記１次共振周波数の変化である前記直線の傾きを、例えば、０．２５より大きくするか、または０．２５以下にすることができる。
【００２１】
さらに、本発明において、前記共振周波数は、例えば、２次共振周波数である。この場合、ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの後端部を固定して、前記ゴルフクラブシャフトの先端部を振動させた際の２次共振周波数との関係を、前記群について直線で回帰した場合、前記群における２次共振周波数の推定誤差が２．０Ｈｚ以下であることが好ましい。
【００２２】
本発明においては、ゴルファのタイプに応じて、前記ロフト角度の変化に対する前記２次共振周波数の変化である前記直線の傾きを、例えば、１以下にするか、または１より大きくすることができる。
【００２３】
本発明の第３の態様は、ロフト角度が互いに異なる複数本のゴルフクラブからなるゴルフクラブセットであって、前記複数本のゴルフクラブのうち、少なくとも３本のゴルフクラブは、ゴルフクラブヘッドが取り付けられるゴルフクラブシャフトの先端部を固定した状態で、前記ゴルフクラブシャフトの後端部を振動させた際の共振周波数の大きさが前記ゴルフクラブの番手の順番に対応して設定されていることを特徴とするゴルフクラブセットを提供するものである。
【００２４】
本発明において、前記共振周波数は、前記ゴルフクラブの番手の順番に対応して略線形的に増加または減少するように設定されていることが好ましい。
【００２５】
また、本発明において、前記共振周波数は、例えば、１次共振周波数である。この場合、ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの先端部を固定して、前記ゴルフクラブシャフトの後端部を振動させた際の１次共振周波数との関係を、前記群について直線で回帰した場合、前記群における１次共振周波数の推定誤差は、いずれのゴルフクラブについても０．３Ｈｚ以下であることが好ましい。
【００２６】
本発明においては、ゴルファのタイプに応じて、記番号の変化に対する前記１次共振周波数の変化である前記直線の傾きを、例えば、０．５より大きくするか、または０．５以下にすることができる。
【００２７】
さらに本発明においては、前記共振周波数は、例えば、２次共振周波数である。この場合、ロフト角度が１６°乃至４１°である少なくとも３本のゴルフクラブからなる群を有し、前記群の全てのゴルフクラブを最小の番手から順番に１から始まる連続する自然数で表した番号と、前記番号に対応するゴルフクラブにおけるゴルフクラブシャフトの先端部を固定して、前記ゴルフクラブシャフトの後端部を振動させた際の２次共振周波数との関係を、前記群について直線で回帰した場合、前記群における２次共振周波数の推定誤差は、いずれのゴルフクラブについても２．０Ｈｚ以下であることが好ましい。
【００２８】
本発明においては、前記番号の変化に対する前記２次共振周波数の変化であるゴルファのタイプに応じて、前記直線の傾きを、例えば、４より大きくするか、または４以下にすることができる。
【００２９】
本発明の第４の態様は、ロフト角度が互いに異なる複数本のゴルフクラブからなるゴルフクラブセットであって、前記複数本のゴルフクラブのうち、少なくとも３本のゴルフクラブは、ゴルフクラブヘッドが取り付けられるゴルフクラブシャフトの先端部を固定した状態で、前記ゴルフクラブシャフトの後端部を振動させた際の共振周波数の大きさが前記ゴルフクラブの前記ロフト角度の大きさに対応して設定されていることを特徴とするゴルフクラブセットを提供するものである。
【００３０】
本発明においては、前記共振周波数は、ゴルフクラブヘッドのロフト角度の大きさに対応して略線形的に増加または減少するように設定されていることが好ましい。
【００３１】
また、本発明においては、前記共振周波数は、例えば、１次共振周波数である。この場合、ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの先端部を固定して、前記ゴルフクラブシャフトの後端部を振動させた際の１次共振周波数との関係を、前記群について直線で回帰した場合、前記群における１次共振周波数の推定誤差が０．３Ｈｚ以下であることが好ましい。
【００３２】
本発明においては、ゴルファのタイプに応じて、前記ロフト角度の変化に対する前記１次共振周波数の変化である前記直線の傾きを、例えば、０．１２５より大きくするか、または０．１２５以下にすることができる。
【００３３】
さらに、本発明においては、前記共振周波数は、例えば、２次共振周波数である。この場合、ロフト角度が１６°乃至４１°である少なくとも３本のゴルフクラブからなる群を有し、前記群のゴルフクラブヘッドのロフト角度と、前記ロフト角度に対応するゴルフクラブにおけるゴルフクラブシャフトの先端部を固定して、前記ゴルフクラブシャフトの後端部を振動させた際の２次共振周波数との関係を、前記群について直線で回帰した場合、前記群における２次共振周波数の推定誤差が２．０Ｈｚ以下であることが好ましい。
【００３４】
本発明においては、ゴルファのタイプに応じて、前記ロフト角度の変化に対する前記２次共振周波数の変化である前記直線の傾きを、例えば、１より大きくするか、または１以下にすることができる。
【００３５】
なお、上述の本発明の第１乃至第４の態様においては、前記ゴルフクラブシャフトは、繊維強化複合材により形成されていることが好ましい。
【００３６】
本発明の第５の態様は、複数本のゴルフクラブシャフトからなるゴルフクラブシャフトセットであって、前記ゴルフクラブシャフトのそれぞれは、適用すべきゴルフクラブの番手が設定されており、前記複数本のゴルフクラブシャフトのうち、少なくとも３本のゴルフクラブシャフトは、前記ゴルフクラブシャフトの後端部を固定した状態で、前記ゴルフクラブシャフトの先端部を振動させた際の共振周波数の大きさが前記ゴルフクラブの番手の順番に対応して設定されていることを特徴とするゴルフクラブシャフトセットを提供するものである。
【００３７】
本発明においては、前記共振周波数は、前記ゴルフクラブの番手の順番に対応して略線形的に増加または減少するように設定されていることが好ましい。
【００３８】
また、本発明においては、前記共振周波数は、例えば、１次共振周波数である。この場合、前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの後端部を固定して、前記ゴルフクラブシャフトの先端部を振動させた際の１次共振周波数との関係を、前記群について直線で回帰した場合、前記群における１次共振周波数の推定誤差は、いずれのゴルフクラブシャフトについても０．４Ｈｚ以下であることが好ましい。
【００３９】
本発明においては、ゴルファのタイプに応じて、前記番号の変化に対する前記１次共振周波数の変化である前記直線の傾きを、例えば、１より大きくするか、または１以下にすることができる。
また、前記ゴルフクラブシャフトは、ロフト角度が１６°乃至４１°のゴルフクラブヘッドに装着されるものであり、前記番手の順番と、前記ロフト角度の大きさの順番とが対応していることが好ましい。
【００４０】
さらに、本発明において、前記共振周波数は、例えば、２次共振周波数である。この場合、前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの後端部を固定して、前記ゴルフクラブシャフトの先端部を振動させた際の２次共振周波数との関係を、前記群について直線で回帰した場合、前記群における２次共振周波数の推定誤差は、いずれのゴルフクラブシャフトについても２．０Ｈｚ以下であることが好ましい。
【００４１】
本発明においては、ゴルファのタイプに応じて、前記番号の変化に対する前記２次共振周波数の変化である前記直線の傾きを、例えば、４以下にするか、または４より大きくすることができる。
また、前記ゴルフクラブシャフトは、ロフト角度が１６°乃至４１°のゴルフクラブヘッドに装着されるものであり、前記番手の順番と、前記ロフト角度の大きさの順番とが対応していることが好ましい。
【００４２】
本発明の第６の態様は、長さが互いに異なる複数本のゴルフクラブシャフトからなるゴルフクラブシャフトセットであって、前記複数本のゴルフクラブシャフトのうち、少なくとも３本のゴルフクラブシャフトは、前記ゴルフクラブシャフトの後端部を固定した状態で、前記ゴルフクラブシャフトの先端部を振動させた際の共振周波数の大きさが前記ゴルフクラブの番手の順番に対応して設定されていることを特徴とするゴルフクラブシャフトセットを提供するものである。
【００４３】
本発明においては、前記共振周波数は、ゴルフクラブシャフトの長さに対応して略線形的に増加または減少するように設定されていることが好ましい。
【００４４】
また、本発明においては、前記共振周波数は、例えば、１次共振周波数である。この場合、前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの後端部を固定して、前記ゴルフクラブシャフトの先端部を振動させた際の１次共振周波数との関係を、前記群について直線で回帰した場合、前記群における１次共振周波数の推定誤差は、いずれのゴルフクラブシャフトについても０．４Ｈｚ以下であることが好ましい。
【００４５】
本発明においては、ゴルファのタイプに応じて、前記ゴルフクラブシャフトの長さの変化に対する前記１次共振周波数の変化である前記直線の傾きを、例えば、−０．０８未満にするか、または−０．０８以上にすることができる。
また、前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応していることが好ましい。
【００４６】
さらに本発明において、前記共振周波数は、例えば、２次共振周波数である。この場合、前記複数本のゴルフクラブシャフトは、前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの後端部を固定して、前記ゴルフクラブシャフトの先端部を振動させた際の２次共振周波数との関係を、前記群について直線で回帰した場合、前記群における２次共振周波数の推定誤差は、いずれのゴルフクラブシャフトについても２．０Ｈｚ以下であることが好ましい。
【００４７】
本発明においては、ゴルファのタイプに応じて、前記ゴルフクラブシャフトの長さの変化に対する前記２次共振周波数の変化である前記直線の傾きを、例えば、−０．３２未満にするか、または−０．３２以下にすることができる。
また、前記ゴルフクラブシャフトの長さの順番と、ロフト角度の大きさの順番とが対応しており、前記ゴルフクラブシャフトは、前記ロフト角度が１６°乃至４１°のゴルフクラブヘッドに装着されるものであることが好ましい。
【００４８】
本発明の第７の態様は、複数本のゴルフクラブシャフトからなるゴルフクラブシャフトセットであって、前記ゴルフクラブシャフトのそれぞれは、適用すべきゴルフクラブの番手が設定されており、前記複数本のゴルフクラブシャフトのうち、少なくとも３本のゴルフクラブシャフトは、前記ゴルフクラブシャフトの先端部を固定した状態で、前記ゴルフクラブシャフトの後端部を振動させた際の共振周波数の大きさが前記ゴルフクラブの番手の順番に対応して設定されていることを特徴とするゴルフクラブシャフトセットを提供するものである。
【００４９】
本発明においては、前記共振周波数は、前記ゴルフクラブの番手の順番に対応して略線形的に増加または減少するように設定されていることが好ましい。
【００５０】
また、本発明において、前記共振周波数は、例えば、１次共振周波数である。この場合、前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの先端部を固定して、前記ゴルフクラブシャフトの後端部を振動させた際の１次共振周波数との関係を、前記群について直線で回帰した場合、前記群における１次共振周波数の推定誤差は、いずれのゴルフクラブシャフトについても０．３Ｈｚ以下であることが好ましい。
【００５１】
本発明においては、ゴルファのタイプに応じて、前記番号の変化に対する前記１次共振周波数の変化である前記直線の傾きを、例えば、０．５より大きくするか、または０．５以下にすることができる。
また、前記ゴルフクラブシャフトは、ロフト角度が１６°乃至４１°のゴルフクラブヘッドに装着されるものであり、前記番手の順番と、前記ロフト角度の大きさの順番とが対応していることが好ましい。
【００５２】
さらに、本発明においては、前記共振周波数は、例えば、２次共振周波数である。この場合、前記複数本のゴルフクラブシャフトは、少なくとも３本のゴルフクラブシャフトからなる群を有し、前記群の全てのゴルフクラブシャフトをゴルフクラブシャフトの適用すべき番手のうち最小の番手から順番に１から始まる連続する自然数で表した番号と、前記番号に対応するゴルフクラブシャフトの先端部を固定して、前記ゴルフクラブシャフトの後端部を振動させた際の２次共振周波数との関係を、前記群について直線で回帰した場合、前記群における２次共振周波数の推定誤差は、いずれのゴルフクラブシャフトについても２．０Ｈｚ以下であることが好ましい。
【００５３】
本発明においては、ゴルファのタイプに応じて、前記番号の変化に対する前記２次共振周波数の変化である前記直線の傾きを、例えば、４より大きくするか、または４以下にすることができる。
また、前記ゴルフクラブシャフトは、ロフト角度が１６°乃至４１°のゴルフクラブヘッドに装着されるものであり、前記番手の順番と、前記ロフト角度の大きさの順番とが対応していることが好ましい。
【００５４】
本発明の第８の態様は、長さが互いに異なる複数本のゴルフクラブシャフトからなるゴルフクラブシャフトセットであって、前記複数本のゴルフクラブシャフトのうち、少なくとも３本のゴルフクラブシャフトは、前記ゴルフクラブシャフトの先端部を固定した状態で、前記ゴルフクラブシャフトの後端部を振動させた際の共振周波数の大きさが前記ゴルフクラブの番手の順番に対応して設定されていることを特徴とするゴルフクラブシャフトセットを提供するものである。
【００５５】
本発明においては、前記共振周波数は、ゴルフクラブシャフトの長さに対応して略線形的に増加または減少するように設定されていることが好ましい。
【００５６】
また、本発明においては、前記共振周波数は、例えば、１次共振周波数である。この場合、前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの先端部を固定して、前記ゴルフクラブシャフトの後端部を振動させた際の１次共振周波数との関係を、前記群について直線で回帰した場合、前記群における１次共振周波数の推定誤差は、いずれのゴルフクラブシャフトについても０．３Ｈｚ以下であることが好ましい。
【００５７】
本発明においては、ゴルファのタイプに応じて、前記ゴルフクラブシャフトの長さの変化に対する前記１次共振周波数の変化である前記直線の傾きを、例えば、−０．０４未満にするか、または−０．０４以上にすることができる。
また、前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応していることが好ましい。
【００５８】
さらに、本発明において、前記共振周波数は、例えば、２次共振周波数である。この場合、前記複数本のゴルフクラブシャフトは、少なくとも３本のゴルフクラブシャフトからなる群を有し、前記群の全てのゴルフクラブシャフトの長さと、それぞれのゴルフクラブシャフトの長さに対応するゴルフクラブシャフトの先端部を固定して、前記ゴルフクラブシャフトの後端部を振動させた際の２次共振周波数との関係を、前記群について直線で回帰した場合、前記群における２次共振周波数の推定誤差は、いずれのゴルフクラブシャフトについても２．０Ｈｚ以下であることが好ましい。
【００５９】
本発明においては、ゴルファのタイプに応じて、前記ゴルフクラブシャフトの長さの変化に対する前記２次共振周波数の変化である前記直線の傾きを、例えば、−０．３２未満にするか、または−０．３２以上にすることができる。
また、前記ゴルフクラブシャフトは、ロフト角度が１６°乃至４１°のゴルフクラブヘッドに装着されるものであり、前記ゴルフクラブシャフトの長さの順番と、前記ロフト角度の大きさの順番とが対応していることが好ましい。
【００６０】
上述の本発明の第５乃至第８の態様においては、前記ゴルフクラブシャフトは、繊維強化複合材により形成されていることが好ましい。
【００６１】
【発明の実施の形態】
以下、本発明の実施例に係るゴルフクラブセットおよびゴルフクラブシャフトセットについて、添付の図面を基に詳細に説明する。
【００６２】
図１は、横軸に番手、ロフト角度、およびゴルフクラブシャフトの長さをとり、縦軸に共振周波数をとって、番手、ロフト角度、およびゴルフクラブシャフトの長さと、共振周波数との関係を模式的に示すグラフである。
【００６３】
本願発明者等は、鋭意実験研究した結果、上述のように、ヘッドスピードを加減して打撃した場合に、ゴルフクラブセットにおいて、番手間の飛距離の相対的な割合が変化するのは、図１に曲線Ｂで示すように、番手、ロフト角度、またはゴルフクラブシャフトの長さと、共振周波数との関係が一定ではなく、所定の線形性を満足しないことが原因であることを見出した。そこで、ゴルフクラブの特性値（番手、ロフト角度、およびゴルフクラブシャフトの長さなど）と、番手との関係を、図１に示す直線Ａ、またはこの直線Ａに対して所定の範囲となるようにすることにより、ヘッドスピードに依らず、各番手間の相対的な飛距離が一定になることを知見した。すなわち、ゴルフクラブセットにおいて、１００％のヘッドスピードで打撃した場合と、７０％のヘッドスピードで打撃した場合とで、各番手間の飛距離の相対的な差が同じになる。これにより、ヘッドスピードを加減しても飛距離を正確に打ち分けることができる。なお、本願発明者等は、直線Ａの傾きが０であっても、ヘッドスピードに依らず、各番手間の相対的な飛距離が一定になるという効果が得られることを見出している。
【００６４】
図２は、本発明の実施形態に係るゴルフクラブセットの一例であるゴルフクラブセットを示す模式図である。
ゴルフクラブセット１０は、３番アイアン（Ａ３）から９番アイアン（Ａ９）、及びピッチングウェッジ（ＡＰ）、アプローチウェッジ（ＡＡ）、サンドウェッジ（ＡＳ）までの各番手のアイアン（Ａ３〜ＡＳ）１０本によって構成される。各アイアンは、ゴルフクラブシャフト１２の一端にグリップ１４を有し、他端にゴルフクラブヘッド１６を備える。ゴルフクラブヘッド１６は、このヒール側で上方に向けられて突設されたホーゼル１８にソケット２０を介してゴルフクラブシャフト１２に連結されている。
【００６５】
ここで、番手とは、主にロフト角度の異なったゴルフクラブをロフト角度の順番に並べることのできるように、各ゴルフクラブに付与した数字（自然数）、文字、または記号等によって表されたロフト角度の順番に関する識別情報の内容であり、各番手のロフト角度は、一定、または概ね一定の間隔で当業者によって適宜設定されている。また、番手が大きいとは、ロフト角度が大きい番手を指す。なお、当業者によっては、番手が大きいとは、ロフト角度が小さい番手のことを指すことがあるが、本発明においては、混同を避けるために、番手が大きいとは、ロフト角度が大きい番手を指すことにする。
【００６６】
これらのアイアンＡ３〜ＡＳのロフト角度θ（°）は、例えば、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°と番手が大きくなるにつれ、ロフト角度θ（°）が大きくなっている。そして、ロフト角度θが１６°乃至４１°の番手は、Ａ３〜Ａ８の６本の番手となっている。なお、アイアンＡ３〜ＡＳのロフト角度は、Ａ３からＡ６までは３°の刻み幅で大きくなり、Ａ７からＡ９までは４°の刻み幅で大きくなり、ＡＰからＡＳまでは５°の刻み幅で大きくなっているが、アイアンＡ３〜ＡＳのロフト角度の刻み幅は、これに限定されず、３°または４°等の一定の刻み幅であってもよい。
また、グリップ１４の端部からゴルフクラブヘッド１６の下端までの長さ（クラブ長さ）は、番手が大きくなるにつれ次第に短くなっている。すなわち、番手が小さいものの方がゴルフクラブシャフト１２の長さが長い。
【００６７】
なお、本実施形態は、１０本のアイアンをゴルフクラブセットとしたものであるが、本発明のゴルフクラブセットには、アイアンゴルフクラブセットのみならず、ウッドゴルフクラブセット、ウッドゴルフクラブセットとアイアンゴルフクラブセットの境界を取り払ったようなゴルフクラブセット、ロングアイアンに相当するもののみのゴルフクラブセット、また、ウッドゴルフクラブとアイアンゴルフクラブの中間的性能を備えてどちらにも分類しがたいいわゆるユーティリティゴルフクラブを含めたゴルフクラブセット等、ロフト角度θ（°）が異なる複数本のゴルフクラブによって構成されるものも含まれる。
【００６８】
ここで、ロフト角度θ（°）は、図２中のアイアンＡ６について示されているように、シャフト軸Ｓとフェース面２２との成す角度であり、図３に示されるようなロフト角度測定器３０により測定される。図３は、アイアンＡ６をロフト角度測定器３０に取り付けた例を示し、図４は、図３中のゴルフクラブヘッド１６の周辺を拡大して示している。
【００６９】
ロフト角度θの測定は、ゴルフクラブ（アイアンＡ６）をロフト角度測定器３０に取り付けた状態において、アイアンＡ６が基準面３２に対してライ角度通りに設置するようにライ角度調整部３３において取り付け角度が調整され、次いで、ロフト角度測定器３０に取り付けられたゴルフクラブ（アイアンＡ６）は、ソール部３４が基準面３２に接するように、かつ、フェース角度調整具３６の先端部３６ａにフェース面２２が密着するように、すなわち、フェース角が０°になるように、ゴルフクラブ（アイアンＡ６）がチャック部３８で固定される。
ここで、ライ角度通りに設置とは、スコアライン３５がフェース角度調整治具３６の先端部３６ａと平行になるように設置することをいう。また、スコアラインが直線でない等、スコアラインによる判別が困難な場合、ソール部３４が、図５のように、ソール部３４のトウ側（Ｔ）とヒール側（Ｈ）の間で凸状に丸くなっている場合、基準面３２とソール部３４の間に生じる隙間がトウ側とヒール側で略等しくなるように設置することをいう。
【００７０】
その後、図６に示すように、ゴルフクラブヘッド１６のフェース面２２の基準面３２に垂直に立てた分度器４０を用いてロフト角度θが測定される。フェース面２２が平面の場合、上記測定によってロフト角度θが得られるが、フェース面２２が凸状に丸くなっている場合、図７に示すように、フェース面２２の中点Ｍに分度器４０の測定面が接するように当てて測定される。
ロフト角度θの測定は、上述のように、ゴルフクラブによって測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００７１】
このような測定器は、市販されている公知のものであればよく、例えば、高爾夫球頭測度台（昇峰企業社製）、ゴルフクラブアングル測定器（ゴルフギャレーヂ社製）およびゴルフクラブゲージ（Ｇｏｌｆｓｍｉｔｈ社製）等が例示される。
【００７２】
こうして測定される上記ゴルフクラブセット１０のＡ３〜ＡＳの内、ロフト角度θが１６°乃至４１°の番手はＡ３〜Ａ８であるが、ゴルフクラブヘッドのロフト角度θ（°）が１６°乃至４１°のすべての番手、すなわち、Ａ３〜Ａ８のゴルフクラブは、後述するように、番手に応じて共振周波数の大きさが設定されている。このように、共振周波数の大きさが設定されているのは、ロフト角度θ（°）が１６°乃至４１°の範囲にあるゴルフクラブは、特に飛距離が打ち分けられるように要求されるものであり、この飛距離の打ち分けの際に生じる飛距離のばらつきを共振周波数の大きさによって、調整することができるからである。
【００７３】
一方、ロフト角度θが１６°未満のドライバー類、およびロフト角度θが４１°を超えるウェッジ類は、ゴルフクラブセットの構成クラブとしてよりも、むしろ単品として購入する場合が多く、ゴルフクラブ供給メーカーも積極的に単品として販売していることからもわかるように、ロフト角度θが１６°未満のゴルフクラブは、主にティーアップして打球して飛距離を稼ぐためのものであり、ゴルフクラブセット内において必ずしも飛距離が打ち分けられるように要求されるものではない。一方、ロフト角度θが４１°を超えるゴルフクラブは、スイングの力を加減してグリーン上に確実に球をのせるためのコントロールされたアプローチショットに用いられることが多い。また、アプローチショットがし易いように主にソール部の形状またはフェースの輪郭形状等が改良されたもので、ゴルフクラブセット内において必ずしも飛距離が打ち分けられるように要求されるものではない。
【００７４】
また、本発明において、ゴルフクラブセットを構成するゴルフクラブの構成本数は、少なくとも３本以上を必要とし、好ましくは、ロフト角度θが１６°乃至４１°の範囲に含まれるゴルフクラブが３本以上あることが好ましい。一方、構成本数の上限は、特に制限されないが、ゴルフの競技規則で定められている携帯するゴルフクラブの制限本数、１４本以下であることが好ましい。
【００７５】
このようなゴルフクラブセット１０を構成する各ゴルフクラブは、ゴルフクラブの番手の順番に対応して、以下に示すゴルフクラブシャフトの共振周波数が設定されている。この共振周波数は、ゴルフクラブセット１０のゴルフクラブの番手の順番に対応して略線形的に増加するか、または略線形的に減少するように設定されている。本実施例において、略線形的に増加するか、または略線形的に減少するとは、単調に増加または減少するもの、および２次関数的に増加または減少するものでもよく、更には指数関数的に増加または減少するものでもよい。この共振周波数は、後述するように、例えば、１次共振周波数または２次共振周波数である。
【００７６】
また、共振周波数の調整は、ゴルフクラブの番手の順番に対応して、略線形的に変化するように設定されている。より具体的にいうと、アイアンＡ３〜Ａ８を、最小の番手から順番に１から始まる連続する番号（自然数Ｘ）で表し、すなわち、アイアンＡ３をＸ＝１、アイアンＡ４をＸ＝２、・・・、アイアンＡ８をＸ＝６とし、一方、共振周波数をＹ（Ｈｚ）とした際、共振周波数Ｙが、直線上にプロットされるか、または、直線上にプロットされなくても、各ゴルフクラブの共振周波数を直線で回帰した場合、推定誤差が所定の範囲となるように設定される。
【００７７】次に、共振周波数の測定方法について説明する。図８は、本発明のゴルフクラブセットのゴルフクラブシャフトの共振周波数を測定する測定装置を示す模式図である。
図８に示すように、共振周波数の測定装置６０は、ゴルフクラブのグリップまたはグリップ部を備えるゴルフクラブシャフト１２の後端部、またはゴルフクラブヘッドが装着されるゴルフクラブシャフト１２の先端部のいずれか一方の端部を固定して固定端とする固定治具４２と、他方の端部を自由端とし、自由端近傍に貼付された加速度ピックアップ４４と、加速度ピックアップ４４に接続されたチャージアンプ４６と、チャージアンプ４６に接続されたＦＦＴアナライザ４８と、ＦＦＴアナライザ４８にＧＰＩＢケーブルを介して接続されたコンピュータ５０とを有して構成される。図８では、ゴルフクラブシャフトの後端部を固定端とした場合が示されている。
【００７８】
固定治具４２によりゴルフクラブシャフト１２の端を固定して共振周波数を測定する際、固定治具４２によりゴルフクラブシャフト１２を固定する固定長さは、１７８ｍｍとするのが好ましい。すなわち、測定するゴルフクラブシャフト群の全てにおいて、後端部の長手方向における固定長さを、ゴルフクラブシャフト１２の後端端部から１７８ｍｍとして固定し、先端部を固定治具４２に固定する場合には、先端部の長手方向における固定長さを、ゴルフクラブシャフト１２の先端端部から１７８ｍｍにして固定することが好ましい。
後述するように、得られた共振周波数から求める１次共振周波数および２次共振周波数の数値には、絶対的な数値の有効性のみならず、相対的な数値にも有効性があり、ゴルフクラブシャフト群の硬さを比較等行なう場合において、各端部の固定長さを統一することが好ましい。なお、本実施形態においては、ゴルフクラブシャフト群における固定長さのばらつきは２ｍｍ以内、好ましくは１ｍｍ以内とする。
【００７９】
また、固定長さとは、図９（ａ）に示すようにゴルフクラブシャフト１２の端面２４がゴルフクラブシャフト軸２６に対して垂直であれば、端面２４からチャック部４２ａまでの距離（Ｄａ）を表す。また、図９（ｂ）に示すように端面２４がゴルフクラブシャフト軸２６に対して垂直でない場合は、端面２４の最も張り出している位置からチャック部４２ａまでの距離（Ｄｂ）を表す。
チャック部４２ａによる固定は、ゴルフクラブシャフト１２を振動させても、がたつきがないように固定することが好ましい。ゴルフクラブシャフト１２の固定は、例えば、万力による固定、ドリルチャックによる固定、または空気圧により挟み込む固定等が挙げられ、ゴルフクラブシャフト１２の固定方法は、本発明では特に限定されない。
【００８０】
なお、ゴルフクラブシャフト１２の先端部とは、ゴルフクラブヘッド１６が装着される端部であり、後端部とはグリップ又はグリップ部が設けられる端部である。図１０に示すゴルフクラブにおいては、グリップ１４を装着する端部を後端部１０１とし、ゴルフクラブヘッド１６を装着する端部を先端部１０２としている。一般のゴルフクラブシャフト１２においては、グリップ１４を装着する後端部１０１の方がゴルフクラブヘッド１６を装着する先端部１０２よりもゴルフクラブシャフト１２の直径が大きいが、図１１に示すゴルフクラブのように、ゴルフクラブヘッド１６を装着する先端部１０２の方がグリップ１４を装着する後端部１０１よりもゴルフクラブシャフト１２の直径が大きいゴルフクラブもある。また、ゴルフクラブによっては図１２に示すように、ゴルフクラブシャフト１２の一部がグリップ部１４ａとなっているゴルフクラブもある。この場合は、グリップ部１４ａとなる端部を後端部１０１、ゴルフクラブヘッド１６を装着する端部を先端部１０２とする。
【００８１】
また、本発明における共振周波数の測定は、ゴルフクラブシャフト１２を単体によって測定することが好ましい。ゴルフクラブにて１次共振周波数を測定する場合に比べて、固定治具４２へゴルフクラブシャフト１２を固定する方が、グリップ１４等の柔軟な間接部材がないため、より正確に測定できるからである。また、ゴルフクラブシャフト１２を単体で測定し、ゴルフクラブヘッド１６の質量等の特性を別個に調整した後、ゴルフクラブとして組み立てることによって、正確な特性が保証されたゴルフクラブを作製することができ、ゴルフクラブにて共振周波数を測定する場合よりも正確な特性を情報として提供することができる。これにより、ゴルフクラブセットとして、番手またはロフト角度の順番に対応して共振周波数の大きさを設定できる。
【００８２】
また、本発明における共振周波数の測定は、図１３に示すように、ゴルフクラブシャフト１２の自由端に重量体５２を装着してもよい。重量体５２を装着すると共振周波数の数値は、重量体５２を装着しないものより低くなる。しかしながら、数値は一定の相関関係をもって低くなるために、相対的な値としては有用である。重量体５２は、ゴルフクラブシャフト１２にしっかり装着することができるもので、形状としては主に円筒形、直方体、または多角柱等が考えられるが特に限定しない。また、重量体５２の重心位置は、ゴルフクラブシャフト１２の軸近傍にあることが好ましい。この重心位置は、ゴルフクラブシャフト１２の固定状態において、ゴルフクラブシャフト１２の軸から半径５ｍｍ以内の円柱内にあることが好ましい。また重量体５２の質量は特に限定しないが、３５０ｇ以下であることが好ましい。
【００８３】
このような測定装置６０では、ゴルフクラブシャフト１２が片持ち梁になって、ゴルフクラブシャフト１２の自由端となって振動する部分の加速度が計測され、チャージアンプ４６を介してＦＦＴアナライザ４８で周波数分析が行われ、周波数分析結果がコンピュータ５０に取り込まれることで、１次、２次、３次、・・・等の各次数の共振周波数が求められる。
なお、ゴルフクラブシャフト１２の振動の計測では、自由端側を変位させた後自由減衰させた状態で行なわれ、加速度ピックアップ４４で得られる加速度信号の時間波形からスペクトル波形が生成され、このスペクトル波形から各次数の共振周波数が求められるが、本発明においては、自由端のインパクト加振が行なわれ伝達関数が計測されることによって共振周波数が求められてもよい。更に、後述するように、共振周波数の測定においては、ベースバンド解析にて共振周波数を概略的に測定した後、ズーム解析にて正確な共振周波数を求めるようにしてもよく、この場合、加振器によりランダム振動をゴルフクラブシャフト１２に与えて測定してもよい。
【００８４】
図１４（ａ）は、この測定装置６０において、ゴルフクラブシャフト１２の後端部１０１を固定端として２回計測した時のスペクトル波形を示している。１次共振周波数Ｆｂ１は、２回の計測共に２３．０Ｈｚであり、２次共振周波数Ｆｂ２は２回の計測共に１１７．２５Ｈｚである。図１４（ｂ）は、測定装置６０において、ゴルフクラブシャフト１２の先端部１０２を固定端として２回計測した時のスペクトル波形を示している。１次共振周波数Ｆｔ１は、２回の計測共に１７．０Ｈｚであり、２次共振周波数Ｆｔ２は１２８．７５Ｈｚ、１２８．５Ｈｚである。複数回共振周波数が計測され、異なる値を示す場合、平均値によって代表する。このように、繰り返し精度の高い、小数点２桁までの共振周波数を得ることができる。
また、ゴルフクラブシャフト１２の後端部１０１を固定端とした時の各次の共振周波数は、ゴルフクラブシャフト１２の先端部１０２を固定端とした時の各次の共振周波数と異なっているが、これは後述するように、ゴルフクラブシャフト１２に長手方向の剛性分布があるためである。
【００８５】
測定装置６０では、ゴルフクラブシャフト１２の後端部１０１を固定端として、または先端部１０２を固定端として、ゴルフクラブシャフト１２の各次数、特に１次共振周波数を求めることによって、より高いレベルでゴルフクラブシャフトの物性の管理を行なうことができる。従来の光電管による振動数の数値が同一又は概ね同一のゴルフクラブシャフトであっても、１次共振周波数に違いが出る場合もあり、ゴルフクラブシャフトの物性の評価がより精度良くできるからである。
【００８６】
また、ゴルフクラブセット内でゴルフクラブの振動数を、ゴルフクラブ長さと振動数のプロットが直線関係のような一定の関係になるようにゴルフクラブを調和させることが従来より行なわれているが、後端部１０１を固定して、または、先端部１０２を固定して測定される１次共振周波数を、ゴルフクラブ長さと共振周波数のプロットが直線関係のような一定の関係になるように調和させたゴルフクラブセットを提供する。
【００８７】
本発明においては、ゴルフクラブセット１０の各番手、ロフト角度、またはゴルフクラブシャフトの長さに対応して、共振周波数のうち、１次共振周波数および２次共振周波数について、以下に示すように規定してもよい。
【００８８】
本発明においては、ロフト角度θが１６°乃至４１°である６本のアイアン（ゴルフクラブ）Ａ３〜Ａ８について、最小の番手から順番に１から始まる連続する自然数で表した番号と、この番号に対応するアイアンＡ３〜Ａ８におけるゴルフクラブシャフトの後端部を固定して、ゴルフクラブシャフトの先端部を振動させた際の１次共振周波数との分布を回帰直線で表した場合、この回帰直線の推定誤差が０．４（Ｈｚ）以下となるように、１次共振周波数の大きさを設定してもよい。
ここで、回帰直線の推定誤差が０．４（Ｈｚ）以下とは、ゴルフクラブの番手に応じて定まる番号（自然数）を回帰直線の関数に入力して計算される推定値と、このゴルフクラブの１次共振周波数の値との誤差が、絶対値で０．４（Ｈｚ）以下、すなわち、−０．４（Ｈｚ）以上＋０．４（Ｈｚ）以下であることをいう。なお、推定誤差は、好ましくは、０．２（Ｈｚ）以下であり、更に好ましくは、０．１（Ｈｚ）以下である。
回帰直線の推定誤差が０．４（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【００８９】
この場合、番号の変化に対する１次共振周波数の変化である回帰直線の傾きは、１より大きくすることができる。好ましくは、１より大きく２以下、さらに好ましくは、１．０５乃至１．８である。
このように、ゴルフクラブセットにおいて、回帰直線の傾きが１より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【００９０】
また、番号の変化に対する１次共振周波数の変化である回帰直線の傾きは、１以下とすることもできる。好ましくは、０乃至１、さらに好ましくは、０．２乃至０．９５である。
このように、ゴルフクラブセットにおいて、回帰直線の傾きが１以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【００９１】
本発明においては、ロフト角度θが１６°乃至４１°である６本のアイアン（ゴルフクラブ）Ａ３〜Ａ８について、最小の番手から順番に１から始まる連続する自然数で表した番号と、この番号に対応するアイアンＡ３〜Ａ８におけるゴルフクラブシャフトの後端部を固定して、ゴルフクラブシャフトの先端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブの番手に応じて定まる番号（自然数）を回帰直線の関数に入力して計算される推定値と、このゴルフクラブの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【００９２】
この場合、番号の変化に対する２次共振周波数の変化である回帰直線の傾きは、４より大きくすることができる。好ましくは、４より大きく８以下、さらに好ましくは、４．２乃至７．２である。
このように、ゴルフクラブセットにおいて、回帰直線の傾きが４より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【００９３】
また、番号の変化に対する２次共振周波数の変化である回帰直線の傾きは、４以下とすることもできる。好ましくは、０乃至４、さらに好ましくは、０．８乃至３．８である。
このように、ゴルフクラブセットにおいて、回帰直線の傾きが４以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【００９４】
また、本発明においては、ロフト角度θが１６°乃至４１°である６本のアイアン（ゴルフクラブ）Ａ３〜Ａ８について、ロフト角度θと、このロフト角度θに対応するアイアンＡ３〜Ａ８におけるゴルフクラブシャフトの後端部を固定して、ゴルフクラブシャフトの先端部を振動させた際の１次共振周波数との分布を回帰直線で表した場合、この回帰直線の推定誤差が０．４（Ｈｚ）以下となるように、１次共振周波数の大きさを設定してもよい。
ここで、回帰直線の推定誤差が０．４（Ｈｚ）以下とは、ゴルフクラブヘッドのロフト角度θを回帰直線の関数に入力して計算される推定値と、このゴルフクラブの１次共振周波数の値との誤差が、絶対値で０．４（Ｈｚ）以下、すなわち、−０．４（Ｈｚ）以上＋０．４（Ｈｚ）以下であることをいう。なお、推定誤差は、好ましくは、０．２（Ｈｚ）以下であり、更に好ましくは、０．１（Ｈｚ）以下である。
回帰直線の推定誤差が０．４（Ｈｚ）を超えると、ゴルフクラブセットにおいて、ロフト角度θの大きさに対応する相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【００９５】
この場合、ロフト角度の変化に対する１次共振周波数の変化である回帰直線の傾きは、０．２５より大きくすることができる。好ましくは、０．２５より大きく０．５以下、さらに好ましくは、０．２６２乃至０．４５である。
このように、ゴルフクラブセットにおいて、回帰直線の傾きが０．２５より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【００９６】
また、ロフト角度の変化に対する１次共振周波数の変化である回帰直線の傾きは、０．２５以下とすることもできる。好ましくは、０乃至０．２５、さらに好ましくは、０．０５乃至０．２３８である。
このように、ゴルフクラブセットにおいて、回帰直線の傾きが０．２５以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【００９７】
さらに、本発明においては、ロフト角度θが１６°乃至４１°である６本のアイアン（ゴルフクラブ）Ａ３〜Ａ８について、ロフト角度θと、このロフト角度θに対応するアイアンＡ３〜Ａ８におけるゴルフクラブシャフトの後端部を固定して、ゴルフクラブシャフトの先端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブヘッドのロフト角度θを回帰直線の関数に入力して計算される推定値と、このゴルフクラブの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、ロフト角度θの大きさに対応する相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【００９８】
この場合、ロフト角度の変化に対する２次共振周波数の変化である回帰直線の傾きは、１より大きくすることができる。より好ましくは、１より大きく２以下、さらに好ましくは、１．０５乃至１．８である。
このように、ゴルフクラブセットにおいて、回帰直線の傾きが１より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【００９９】
また、ロフト角度の変化に対する２次共振周波数の変化である回帰直線の傾きは、１以下とすることもできる。好ましくは、０乃至１、さらに好ましくは、０．２乃至０．９５である。
このように、ゴルフクラブセットにおいて、回帰直線の傾きが１以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１００】
本発明においては、ロフト角度θが１６°乃至４１°である６本のアイアン（ゴルフクラブ）Ａ３〜Ａ８について、最小の番手から順番に１から始まる連続する自然数で表した番号と、この番号に対応するアイアンＡ３〜Ａ８におけるゴルフクラブシャフトの先端部を固定して、ゴルフクラブシャフトの後端部を振動させた際の１次共振周波数との分布を回帰直線で表した場合、この回帰直線の推定誤差が０．３（Ｈｚ）以下となるように、１次共振周波数の大きさを設定してもよい。
ここで、回帰直線の推定誤差が０．３（Ｈｚ）以下とは、ゴルフクラブの番手に応じて定まる番号（自然数）を回帰直線の関数に入力して計算される推定値と、このゴルフクラブの１次共振周波数の値との誤差が、絶対値で０．３（Ｈｚ）以下、すなわち、−０．３（Ｈｚ）以上＋０．３（Ｈｚ）以下であることをいう。なお、推定誤差は、好ましくは、０．１８（Ｈｚ）以下であり、更に好ましくは、０．０９（Ｈｚ）以下である。
回帰直線の推定誤差が０．３（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１０１】
この場合、前記番号の変化に対する１次共振周波数の変化である回帰直線の傾きは、０．５より大きくすることができる。好ましくは、０．５より大きく１以下、さらに好ましくは、０．５３乃至０．９である。
このように、ゴルフクラブセットにおいて、回帰直線の傾きが０．５より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１０２】
また、前記番号の変化に対する１次共振周波数の変化である回帰直線の傾きは、０．５以下とすることもできる。好ましくは、０乃至０．５、さらに好ましくは、０．１乃至０．４７である。
このように、ゴルフクラブセットにおいて、回帰直線の傾きが０．５以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１０３】
本発明においては、ロフト角度θが１６°乃至４１°である６本のアイアン（ゴルフクラブ）Ａ３〜Ａ８について、最小の番手から順番に１から始まる連続する自然数で表した番号と、この番号に対応するアイアンＡ３〜Ａ８におけるゴルフクラブシャフトの先端部を固定して、ゴルフクラブシャフトの後端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブの番手に応じて定まる番号（自然数）を回帰直線の関数に入力して計算される推定値と、このゴルフクラブの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．  １（Ｈｚ）以下であり、更に好ましくは、０．６（Ｈｚ）以下である。
回帰直線の推定誤差が２．０（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１０４】
この場合、番号の変化に対する２次共振周波数の変化である回帰直線の傾きは、４より大きくすることができる。好ましくは、４より大きく８以下、さらに好ましくは、４．２乃至７．２である。
このように、ゴルフクラブセットにおいて、回帰直線の傾きが４より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１０５】
また、番号の変化に対する２次共振周波数の変化である回帰直線の傾きは、４以下とすることもできる。好ましくは、０乃至４、さらに好ましくは、０．８乃至３．８である。
このように、ゴルフクラブセットにおいて、回帰直線の傾きが４以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１０６】
本発明においては、ロフト角度θが１６°乃至４１°である６本のアイアン（ゴルフクラブ）Ａ３〜Ａ８について、ロフト角度θと、このロフト角度θに対応するアイアンＡ３〜Ａ８におけるゴルフクラブシャフトの先端部を固定して、ゴルフクラブシャフトの後端部を振動させた際の１次共振周波数との分布を回帰直線で表した場合、この回帰直線の推定誤差が０．３（Ｈｚ）以下となるように、１次共振周波数の大きさを設定してもよい。
ここで、回帰直線の推定誤差が０．３（Ｈｚ）以下とは、ゴルフクラブヘッドのロフト角度θを回帰直線の関数に入力して計算される推定値と、このゴルフクラブの１次共振周波数の値との誤差が、絶対値で０．３（Ｈｚ）以下、すなわち、−０．３（Ｈｚ）以上＋０．３（Ｈｚ）以下であることをいう。なお、推定誤差は、好ましくは、０．１８（Ｈｚ）以下であり、更に好ましくは、０．０９（Ｈｚ）以下である。
回帰直線の推定誤差が０．３（Ｈｚ）を超えると、ゴルフクラブセットにおいて、ロフト角度θの大きさに対応する相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１０７】
この場合、ロフト角度の変化に対する１次共振周波数の変化である回帰直線の傾きは、０．１２５より大きくすることができる。好ましくは、０．  １２５より大きく０．２５以下、さらに好ましくは、０．１３２乃至０．２２５である。
このように、ゴルフクラブセットにおいて、回帰直線の傾きが０．１２５より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１０８】
また、ロフト角度の変化に対する１次共振周波数の変化である回帰直線の傾きは、０．１２５以下とすることもできる。好ましくは、０乃至０．１２５、さらに好ましくは、０．０２５乃至０．１１８である。
このように、ゴルフクラブセットにおいて、回帰直線の傾きが０．１２５以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１０９】
本発明においては、ロフト角度θが１６°乃至４１°である６本のアイアン（ゴルフクラブ）Ａ３〜Ａ８について、ロフト角度θと、このロフト角度θに対応するアイアンＡ３〜Ａ８におけるゴルフクラブシャフトの先端部を固定して、ゴルフクラブシャフトの後端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブヘッドのロフト角度θを回帰直線の関数に入力して計算される推定値と、このゴルフクラブの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、ロフト角度θに対応する相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１１０】
この場合、ロフト角度の変化に対する２次共振周波数の変化である回帰直線の傾きは、１より大きくすることができる。好ましくは、１より大きく２以下、さらに好ましくは、１．０５乃至１．８である。
このように、ゴルフクラブセットにおいて、回帰直線の傾きが１より大きいと、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１１１】
また、ロフト角度の変化に対する１次共振周波数の変化である回帰直線の傾きは、１以下とすることもできる。好ましくは、０乃至１、さらに好ましくは、０．２乃至０．９５である。
このように、ゴルフクラブセットにおいて、回帰直線の傾きが１以下であると、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１１２】
なお、上述の如く、回帰直線の傾きに応じて分類されるゴルフクラブセットによるゴルファへの適用は、あくまで一般的な傾向を示すものである。例えば、ロフト角度が小さい番手ほど、しっかりスイングして飛距離を得ようとするタイプのゴルファであっても、傾きが所定の値よりも大きいゴルフクラブセットを選択しても構わない。また、その逆であってもよい。ゴルフクラブセットは、最終的には、本発明から得られる上記適用の他に、ゴルファ個人の好みによる選択、個人的に考えるコース戦略を可能にするための選択などの要素により、総合的に判断されるものである。
【０１１３】
また、本発明のゴルフクラブシャフトセットについても、番手、およびゴルフクラブシャフトの長さに応じて、共振周波数のうち、１次共振周波数および２次共振周波数について、以下に示すように規定してもよい。
【０１１４】
本発明においては、少なくとも３本のゴルフクラブシャフトについて、ゴルフクラブシャフトの適用すべき番手のうち最小の番手から順番に１から始まる連続する自然数で表した番号と、この番号に対応するアイアンＡ３〜Ａ８におけるゴルフクラブシャフトの後端部を固定して、ゴルフクラブシャフトの先端部を振動させた際の１次共振周波数との分布を回帰直線で表した場合、この回帰直線の推定誤差が０．４（Ｈｚ）以下となるように、１次共振周波数の大きさを設定してもよい。
ここで、回帰直線の推定誤差が０．４（Ｈｚ）以下とは、ゴルフクラブの番手に応じて定まる番号（自然数）を回帰直線の関数に入力して計算される推定値と、このゴルフクラブの１次共振周波数の値との誤差が、絶対値で０．４（Ｈｚ）以下、すなわち、−０．４（Ｈｚ）以上＋０．４（Ｈｚ）以下であることをいう。なお、推定誤差は、好ましくは、０．２（Ｈｚ）以下であり、更に好ましくは、０．１（Ｈｚ）以下である。
回帰直線の推定誤差が０．４（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１１５】
この場合、番号の変化に対する１次共振周波数の変化である回帰直線の傾きは、１より大きくすることができる。好ましくは、１より大きく２以下、さらに好ましくは、１．０５乃至１．８である。
このようなゴルフクラブシャフトセットにおいて、回帰直線の傾きが１より大きいと、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１１６】
また、番号の変化に対する１次共振周波数の変化である回帰直線の傾きは、１以下とすることもできる。好ましくは、０乃至１、さらに好ましくは、０．２乃至０．９５である。
このようなゴルフクラブシャフトセットにおいて、回帰直線の傾きが１以下であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１１７】
また、本発明においては、少なくとも３本のゴルフクラブシャフトについて、ゴルフクラブシャフトの適用すべき番手のうち最小の番手から順番に１から始まる連続する自然数で表した番号と、この番号に対応するアイアンＡ３〜Ａ８におけるゴルフクラブシャフトの後端部を固定して、ゴルフクラブシャフトの先端部を振動させた際の２次共振周波数との分布を回帰直線で表した場合、この回帰直線の推定誤差が２．０（Ｈｚ）以下となるように、２次共振周波数の大きさを設定してもよい。ここで、回帰直線の推定誤差が２．０（Ｈｚ）以下とは、ゴルフクラブの番手に応じて定まる番号（自然数）を回帰直線の関数に入力して計算される推定値と、このゴルフクラブの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１１８】
この場合、番号の変化に対する２次共振周波数の変化である回帰直線の傾きは、４より大きくすることができる。好ましくは、４より大きく８以下、さらに好ましくは、４．２乃至７．２である。
このようなゴルフクラブシャフトセットにおいて、回帰直線の傾きが４より大きいと、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１１９】
また、番号の変化に対する２次共振周波数の変化である回帰直線の傾きは、４以下とすることもできる。好ましくは、０乃至４、さらに好ましくは、０．８乃至３．８である。
このようなゴルフクラブシャフトセットにおいて、回帰直線の傾きが４以下であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１２０】
さらに、本発明においては、複数のゴルフクラブシャフトのうち、少なくとも３本について、ゴルフクラブシャフト長さと、このゴルフクラブシャフトの長さに対応するゴルフクラブのゴルフクラブシャフトの後端部を固定して、ゴルフクラブシャフトの先端部を振動させた際の１次共振周波数との分布を回帰直線で表した場合、この回帰直線の推定誤差が０．４（Ｈｚ）以下となるように、１次共振周波数の大きさを設定してもよい。
ここで、回帰直線の推定誤差が０．４（Ｈｚ）以下とは、ゴルフクラブシャフトの長さを回帰直線の関数に入力して計算される推定値と、このゴルフクラブシャフトの１次共振周波数の値との誤差が、絶対値で０．４（Ｈｚ）以下、すなわち、−０．４（Ｈｚ）以上＋０．４（Ｈｚ）以下であることをいう。なお、推定誤差は、好ましくは、０．２（Ｈｚ）以下であり、更に好ましくは、０．１（Ｈｚ）以下である。
回帰直線の推定誤差が０．４（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１２１】
この場合、ゴルフクラブシャフト長さの変化に対する１次共振周波数の変化である回帰直線の傾きは、−０．０８未満とすることができる。好ましくは、−０．  １６以上−０．０８未満、さらに好ましくは、−０．  １４４乃至−０．  ０８４である。
このようなゴルフクラブシャフトセットにおいて、回帰直線の傾きが−０．０８未満であると、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１２２】
また、ゴルフクラブシャフト長さの変化に対する１次共振周波数の変化である回帰直線の傾きは、−０．０８以上とすることもできる。好ましくは、−０．  ０８乃至０、さらに好ましくは、−０．  ０７６乃至−０．０１６である。
このようなゴルフクラブシャフトセットにおいて、回帰直線の傾きが−０．０８以上であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１２３】
さらに、本発明においては、複数のゴルフクラブシャフトのうち、少なくとも３本について、ゴルフクラブシャフト長さと、このゴルフクラブシャフトの長さに対応するゴルフクラブのゴルフクラブシャフトの後端部を固定して、ゴルフクラブシャフトの先端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブシャフトの長さを回帰直線の関数に入力して計算される推定値と、このゴルフクラブシャフトの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１２４】
この場合、ゴルフクラブシャフト長さの変化に対する２次共振周波数の変化である回帰直線の傾きは、−０．３２未満とすることができる。好ましくは、−０．  ６４以上−０．３２未満、さらに好ましくは、−０．  ５７６乃至−０．３３６である。
このようなゴルフクラブシャフトセットにおいて、回帰直線の傾きが−０．３２未満であると、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１２５】
また、ゴルフクラブシャフト長さの変化に対する１次共振周波数の変化である回帰直線の傾きは、−０．３２以上とすることもできる。好ましくは、−０．  ３２乃至０、さらに好ましくは、−０．  ３０４乃至−０．０６４である。
このようなゴルフクラブシャフトセットにおいて、回帰直線の傾きが−０．３２以上であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１２６】
本発明においては、少なくとも３本のゴルフクラブシャフトについて、ゴルフクラブシャフトの適用すべき番手のうち最小の番手から順番に１から始まる連続する自然数で表した番号と、この番号に対応するアイアンＡ３〜Ａ８におけるゴルフクラブシャフトの先端部を固定して、ゴルフクラブシャフトの後端部を振動させた際の１次共振周波数との分布を回帰直線で表した場合、この回帰直線の推定誤差が０．３（Ｈｚ）以下となるように、１次共振周波数の大きさを設定してもよい。
ここで、回帰直線の推定誤差が０．３（Ｈｚ）以下とは、ゴルフクラブの番手に応じて定まる番号（自然数）を回帰直線の関数に入力して計算される推定値と、このゴルフクラブの１次共振周波数の値との誤差が、絶対値で０．３（Ｈｚ）以下、すなわち、−０．３（Ｈｚ）以上＋０．３（Ｈｚ）以下であることをいう。なお、推定誤差は、好ましくは、０．１８（Ｈｚ）以下であり、更に好ましくは、０．０９（Ｈｚ）以下である。
回帰直線の推定誤差が０．３（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１２７】
この場合、番号の変化に対する１次共振周波数の変化である回帰直線の傾きは、０．５より大きくすることができる。好ましくは、０．５より大きく１以下、さらに好ましくは、０．５３乃至０．９である。
このようなゴルフクラブシャフトセットにおいて、回帰直線の傾きが０．５より大きいと、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１２８】
また、番号の変化に対する１次共振周波数の変化である回帰直線の傾きは、０．５以下とすることもできる。好ましくは、０乃至０．５、さらに好ましくは、０．１乃至０．４７である。
このようなゴルフクラブシャフトセットにおいて、回帰直線の傾きが０．５以下であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１２９】
本発明においては、少なくとも３本のゴルフクラブシャフトについて、ゴルフクラブシャフトの適用すべき番手のうち最小の番手から順番に１から始まる連続する自然数で表した番号と、この番号に対応するアイアンＡ３〜Ａ８におけるゴルフクラブシャフトの先端部を固定して、ゴルフクラブシャフトの後端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブの番手に応じて定まる番号（自然数）を回帰直線の関数に入力して計算される推定値と、このゴルフクラブの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１３０】
この場合、番号の変化に対する１次共振周波数の変化である回帰直線の傾きは、４より大きくすることができる。好ましくは、４より大きく８以下、さらに好ましくは、４．２乃至７．２である。
このようなゴルフクラブシャフトセットにおいて、回帰直線の傾きが４より大きいと、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１３１】
また、番号の変化に対する１次共振周波数の変化である回帰直線の傾きは、４以下とすることもできる。好ましくは、０乃至４、さらに好ましくは、０．８乃至３．８である。
このようなゴルフクラブシャフトセットにおいて、回帰直線の傾きが４以下であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１３２】
さらに、本発明においては、複数のゴルフクラブシャフトのうち、少なくとも３本について、ゴルフクラブシャフト長さと、このゴルフクラブシャフトの長さに対応するゴルフクラブのゴルフクラブシャフトの先端部を固定して、ゴルフクラブシャフトの後端部を振動させた際の１次共振周波数との分布を回帰直線で表した場合、この回帰直線の推定誤差が０．３（Ｈｚ）以下となるように、１次共振周波数の大きさを設定してもよい。
ここで、回帰直線の推定誤差が０．３（Ｈｚ）以下とは、ゴルフクラブシャフトの長さを回帰直線の関数に入力して計算される推定値と、このゴルフクラブシャフトの１次共振周波数の値との誤差が、絶対値で０．３（Ｈｚ）以下、すなわち、−０．３（Ｈｚ）以上＋０．３（Ｈｚ）以下であることをいう。なお、推定誤差は、好ましくは、０．１８（Ｈｚ）以下であり、更に好ましくは、０．０９（Ｈｚ）以下である。
回帰直線の推定誤差が０．３（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１３３】
この場合、ゴルフクラブシャフト長さの変化に対する１次共振周波数の変化である回帰直線の傾きは、−０．０４未満とすることができる。好ましくは、−０．  ０８以上−０．  ０４未満、さらに好ましくは、−０．  ０７２乃至−０．０４２４である。
このようなゴルフクラブシャフトセットにおいて、回帰直線の傾きが−０．０４未満であると、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１３４】
また、ゴルフクラブシャフト長さの変化に対する１次共振周波数の変化である回帰直線の傾きは、−０．０４以上とすることもできる。好ましくは、−０．  ０４乃至０、さらに好ましくは、−０．  ０３７６乃至−０．００８である。
このようなゴルフクラブシャフトセットにおいて、回帰直線の傾きが−０．０４以上であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１３５】
さらに、本発明においては、複数のゴルフクラブシャフトのうち、少なくとも３本について、ゴルフクラブシャフト長さと、このゴルフクラブシャフトの長さに対応するゴルフクラブのゴルフクラブシャフトの先端部を固定して、ゴルフクラブシャフトの後端部を振動させた際の２次共振周波数との分布を回帰直線で表した場合、この回帰直線の推定誤差が２．０（Ｈｚ）以下となるように、２次共振周波数の大きさを設定してもよい。
ここで、回帰直線の推定誤差が２．０（Ｈｚ）以下とは、ゴルフクラブシャフトの長さを回帰直線の関数に入力して計算される推定値と、このゴルフクラブシャフトの２次共振周波数の値との誤差が、絶対値で２．０（Ｈｚ）以下、すなわち、−２．０（Ｈｚ）以上＋２．０（Ｈｚ）以下であることをいう。なお、推定誤差は、好ましくは、１．１（Ｈｚ）以下であり、更に好ましくは、０．６（Ｈｚ）以下である。
回帰直線の推定誤差が２．０（Ｈｚ）を超えると、ゴルフクラブセットにおいて、番手間の相対的な飛距離の調和が崩れる。例えば、そのゴルフクラブセットについて、あるゴルファが１００％のヘッドスピードで各番手のゴルフクラブを打球した際に、一定の飛距離が打ち分けられたにもかかわらず、８０％のヘッドスピードで各番手のゴルフクラブで打球した際には、番手ごとの飛距離の相対的なバランスが崩れてしまうことである。
【０１３６】
この場合、ゴルフクラブシャフト長さの変化に対する２次共振周波数の変化である回帰直線の傾きは、−０．３２未満とすることができる。好ましくは、−０．６４以上−０．  ３２未満、さらに好ましくは、−０．  ５７６乃至−０．  ３３６である。
このようなゴルフクラブシャフトセットにおいて、回帰直線の傾きが−０．  ３２未満であると、このゴルフクラブシャフトセットを用いて作製されたゴルフクラブセットでは、相対的にロフト角度が小さいゴルフクラブが撓み易くなる傾向になる。このゴルフクラブセットは、主に、全番手同じ感覚でスイングして、ロフト角度が小さい番手ほど長さを生かして結果的にヘッドスピードを上げて飛距離を得ようとするタイプのゴルファに好適である。
【０１３７】
また、ゴルフクラブシャフト長さの変化に対する２次共振周波数の変化である回帰直線の傾きは、−０．３２以上とすることもできる。好ましくは、−０．３２乃至０、さらに好ましくは、−０．３０４乃至−０．  ０６４である。
このようなゴルフクラブシャフトセットにおいて、回帰直線の傾きが−０．３２以上であると、このゴルフクラブシャフトセットを用いて作製されたゴルフクラブセットでは、相対的にロフト角度が小さいゴルフクラブが撓み難くなる傾向になる。このゴルフクラブセットは、主に、ロフト角度が小さい番手ほど、しっかりスイングして飛距離を得ようとするタイプのゴルファに好適である。
【０１３８】
なお、上述の如く、回帰直線の傾きに応じて分類されるゴルフクラブシャフトセットによるゴルファへの適用は、あくまで一般的な傾向を示すものである。例えば、ロフト角度が小さい番手ほど、しっかりスイングして飛距離を得ようとするタイプのゴルファであっても、傾きが所定の値よりも大きいゴルフクラブセットを選択しても構わない。また、その逆であってもよい。ゴルフクラブセットは、最終的には、本発明から得られる上記適用の他に、ゴルファ個人の好みによる選択、個人的に考えるコース戦略を可能にするための選択などの要素により、総合的に判断されるものである。
【０１３９】
なお、本発明においては、ゴルフクラブシャフトセットとは、ゴルフクラブセットとして組み立てられる前のゴルフクラブシャフトセットも含まれる。ゴルフクラブシャフトセットとは、複数本のゴルフクラブシャフトからなるものである。一般的には、複数本の長さが異なったゴルフクラブシャフトからなり、長さが長いゴルフクラブシャフトから順番にロフト角度の小さいゴルフクラブヘッドに装着されてゴルフクラブとなる。すなわち、ゴルフクラブの番手が小さいものほど、ゴルフクラブシャフトの長さが長いものが用いられる。また、当業者は、ゴルフクラブを組立てる際に、ゴルフクラブシャフトセットの各ゴルフクラブシャフトを、そのままの長さで使用したり、適宜切断して使用したりすることが可能である。
【０１４０】
また、本発明において、ゴルフクラブシャフトは、繊維強化複合材により形成されていることが好ましい。この繊維強化複合材は、繊維強化金属材、または繊維強化樹脂材などを含むものである。また、繊維強化樹脂材としては、炭素繊維強化樹脂（ＣＦＰＲ）材およびガラス繊維強化樹脂（ＧＦＲＰ）材などが例示される。本発明は、ゴルフクラブシャフトが、繊維強化樹脂材によって形成された場合に、顕著な効果を奏する。繊維強化樹脂材により形成されたゴルフクラブシャフトは、強化繊維の種類および強化繊維の配向方向の選択が自由であるため、ゴルフクラブシャフトの剛性分布を長手方向に渡って変化させるなどの設計自由度が、金属製のゴルフクラブシャフトのような単一素材から形成されたゴルフクラブシャフトよりも高い。共振周波数は、ゴルフクラブシャフトの剛性分布に依存するものであり、繊維強化樹脂材によって形成されたゴルフクラブシャフトにより構成されたゴルフクラブセットは、ゴルフクラブ間における共振周波数のばらつきが特に大きくなる。このように、繊維強化樹脂材においては、同じ質量、同じ長さであっても、共振周波数のばらつきが大きく、共振周波数を管理する必要がある。
【０１４１】
本発明において、ゴルフクラブシャフトの１次共振周波数は、１０乃至５０Ｈｚであることが好ましい。この１次共振周波数が１０乃至５０Ｈｚであれば、実用上の耐久性をより十分に備えたゴルフクラブシャフトとなる。なお、この１次共振周波数の好ましい範囲の値は、測定方法によらず、ゴルフクラブシャフトの先端部および後端部のいずれかを固定して測定したものであってもよい。
【０１４２】
さらに本発明において、ゴルフクラブシャフトの２次共振周波数は、３０乃至２５０Ｈｚであることが好ましい。この２次共振周波数が３０乃至２５０Ｈｚであれば、実用上の耐久性をより十分に備えたゴルフクラブシャフトとなる。なお、２次共振周波数の好ましい範囲の値は、測定方法によらずゴルフクラブシャフトの先端部および後端部のいずれかを固定して測定したものであってもよい。
【０１４３】
【実施例】
以下、本発明の実施例について、本発明の範囲から外れる比較例と比較して具体的に説明する。
以下、各実施例で示すように、ゴルフクラブセットの中から、ロフト角度θが１６°乃至４１°の範囲内に含まれるアイアン６本（ロフト角度が２０°、２４°、２８°、３２°、３６°、４０°）を用いた。これらのアイアンについて、共振周波数、飛距離比率、および推定誤差の幅を求めた。
【０１４４】
本実施例においては、アイアンについて、ロフト角度が同一の場合には、長さ、質量、および外径が同じゴルフクラブシャフトを用い、さらにグリップについても同じものを使用した。また、本実施例においては、ゴルフクラブシャフトに、炭素繊維強化樹脂製（ＣＦＲＰ製）のものを用いた。また、ロフト角度については、高爾夫球頭測度台（昇峰企業社製）を用いて測定した。
【０１４５】
共振周波数については、各実施例および比較例のゴルフクラブセットのゴルフクラブシャフトの先端部または他端部を固定して、後述するベースバンド解析と、ズーム解析とを行い、共振周波数（１次共振周波数、または２次共振周波数）を測定した。このように、ベースバンド解析により、共振周波数の概略値を求め、さらにズーム解析を行うことにより、共振周波数を高精度に測定することができる。この共振周波数の測定には、図１５に示す測定装置６０ａを用いた。図１５は、本実施例に使用される共振周波数の測定装置を示す模式図である。本実施例の測定装置６０ａは、図８に示す測定装置６０に比して、ゴルフクラブシャフト１２を固定する固定治具８０の端部にフランジ部を有する点が異なる。また、ゴルフクラブシャフト１２を加振する加振器７０がインピーダンスヘッド７２を介して設けられており、この加振器７０にＦＦＴアナライザ４８から出力されるランダムノイズ信号を増幅するアンプ７４が設けられている点が異なる。さらに、加速度ピックアップ４４の加速度信号Ａおよびインピーダンスヘッド７２の加振力を表す力（ちから）信号ＦがＦＦＴアナライザ４８に供給されて周波数応答関数を求める点が異なり、それ以外の構成は、図８に示す測定装置６０と同様の構成であるので、その詳細な説明は省略する。本実施例の測定装置６０ａにおいては、加振器７０によりゴルフクラブシャフト１２をランダムに加振することにより、後述するズーム解析により共振周波数を正確に求めることができる。
【０１４６】
以下、ゴルフクラブシャフト１２の後端部を固定し、先端部側の１次共振周波数を測定する場合を例に説明する。
なお、本実施例においては、加速度ピックアップ４４に、共振周波数を変化させないために、可能な限り軽量であることが望ましいことから、質量が０．１４ｇのエンデブコ社製モデル２２を用いた。チャージアンプ４６には、エミック株式会社製チャージアンプ振動計５０９ＣＡを用い、ＦＦＴアナライザ４８には、株式会社小野測器製マルチパーパスＦＦＴアナライザＣＦ５２２０を用いた。
加振器７０には、株式会社振研製のＧ２１−００５Ｄを用いた。インピーダンスヘッド７２には、リオン株式会社製のＰＦ−６０Ａを用いた。アンプ７４には、株式会社振研製のＧ１１−８１２を用いた。
【０１４７】
先ず、ベースバンド解析について説明する。この場合、固定治具８０に固定長さを１７８ｍｍとして、ゴルフクラブシャフト１２を固定し、この固定治具８０の端部から先端部に向かって４００ｍｍの位置に加速度ピックアップ４４を固定した。すなわち、ゴルフクラブシャフト１２の後端から先端部側に向かって５７８ｍｍの位置に加速度ピックアップ４４を固定した。インピーダンスヘッド７２を固定治具８０の端部から先端部に向かって３５ｍｍの位置に配置した。１次共振周波数の測定条件は、ＦＦＴアナライザ４８からのランダムノイズ信号をアンプ７４により増幅して加振器７０によってゴルフクラブシャフト１２をランダムに加振するものとした。また、測定データのデータ長を２０４８とし、ＦＦＴ解析の周波数の上限値を２００Ｈｚとし、周波数分解能を０．  ２５Ｈｚ、測定時間を４秒とした。
【０１４８】
次に、加振器７０によりゴルフクラブシャフト１２をランダム加振して加速度を測定し、加速ピックアップ４４から出力された加速度信号Ａおよびインピーダンスヘッド７２の力信号ＦからＦＦＴアナライザ４８により、図１６に示すように、加振力に対する周波数応答関数Ｈ１  （Ｈ１  ＝（Ａ／Ｆ））のスペクトル波形を得た。図１６は、縦軸に周波数応答関数Ｈ１  をとり、横軸に周波数をとったゴルフクラブシャフトのスペクトル波形の一例を示すグラフである。図１６に示す周波数応答関数のスペクトル波形から１次共振周波数の概略値を求めた。この場合、ベースバンド解析により測定された１次共振周波数の概略値は２３Ｈｚとした。
【０１４９】
上述のように、ベースバンド解析により測定された１次共振周波数に基づいて、更に正確な１次共振周波数を測定するために、後述する手順でズーム解析を行った。次に、ズーム解析について説明する。このズーム解析は、ベースバンド解析により、求められた１次共振周波数の概略値に基づいて更に正確に１次共振周波数を測定するために、続けて行うものである。
ズーム解析においては、ゴルフクラブシャフト１２の固定長さ、インピーダンスヘッド７２の設置位置、および加速度ピックアップ４４の固定位置は、上述のベースバンド解析と同じとした。１次共振周波数の測定条件は、測定データのデータ長を２０４８とし、ＦＦＴ解析の周波数の幅を１０Ｈｚとし、周波数分解能を０．  ０１２５Ｈｚとし、測定時間を８０秒とした。
ベースバンド解析により概略的に測定された１次共振周波数の±５Ｈｚの範囲に周波数の幅を設定し、上述のベースバンド解析と同様に、ランダム振動をゴルフクラブシャフト１２に与えて１次共振周波数を測定した。
ズーム解析においては、１次共振周波数の測定を５回行い、その５回の平均値をゴルフクラブシャフト１２の１次共振周波数とした。このようにして、ゴルフクラブシャフト１２の先端部側の１次共振周波数を正確に測定した。この結果を図１７に示す。図１７は、縦軸に周波数応答関数Ｈ１  をとり、横軸に周波数をとって１次共振周波数のズーム解析の結果の一例を示すグラフである。図１７に示すように、１次共振周波数の共振ピークを正確に検出することができた。
【０１５０】
なお、２次共振周波数を測定する場合には、ベースバンド解析により求められたスペクトル波形から、２次共振周波数を概略的に求め、更にズーム解析により２次共振周波数を正確に求めた。この場合においても、ズーム解析においては、５回測定し、この平均値をゴルフクラブシャフト１２の２次共振周波数とした。なお、ベースバンド解析により測定された２次共振周波数の概略値は１２５Ｈｚとした。２次共振周波数におけるズーム解析の結果を図１８に示す。図１８は、縦軸に周波数応答関数Ｈ１  をとり、横軸に周波数をとって２次共振周波数のズーム解析の結果の一例を示すグラフである。また、ズーム解析により、２次共振周波数を正確に求める場合、１次共振周波数の測定結果に比べてノイズ成分が多くなり、共振ピーク周波数を正確に求めることができない。そこで、図１９に示すように、移動平均処理を行い共振ピークを検出し、２次共振周波数を正確に求めた。図１９は、縦軸に周波数応答関数Ｈ１  をとり、横軸に周波数をとって移動平均処理により得られた２次共振周波数の共振ピークの一例を示すグラフである。図１９に示す周波数応答関数Ｈ１  のスペクトル波形から、２次共振周波数を正確に測定することができた。
【０１５１】
また、ゴルフクラブシャフト１２の後端部側の１次および２次共振周波数についても、ベースバンド解析により１次および２次共振周波数の概略値を求め、次にズーム解析により１次および２次共振周波数を正確に求めた。１次および２次共振周波数の測定に際しては、ゴルフクラブシャフト１２の先端部を固定治具８０で固定して、ゴルフクラブシャフト１２にランダム加振を与えて測定した。ゴルフクラブシャフト１２の固定長さ、インピーダンスヘッド７２の設置位置、加速度ピックアップ４４の固定位置、および測定条件は、上述のゴルフクラブシャフト１２の先端部側の１次共振周波数における測定条件と同じにした。
【０１５２】
飛距離比率については、試打ロボットを用いて、１００％のヘッドスピードと、８０％のヘッドスピードとよりボールを打撃し、各飛距離を測定した。
そして、（８０％のヘッドスピードにおける飛距離）／（１００％のヘッドスピードにおける飛距離）から飛距離比率を求めた。
【０１５３】
飛距離については、横浜ゴム株式会社製Ｈ／Ｓボールを使用して、ショットロボ４（ミヤマエ製）にて、ヘッドスピードを調整して、１０球打球して、その平均値とした。なお、飛距離は、キャリー、およびロールを含めた総飛距離とした。
【０１５４】
本実施例において、飛距離比率の試験条件は、ロフト角度により、ヘッドスピードが異なり、以下に示す各条件により飛距離比率を求めた。
ロフト角度が２０°のアイアンについては、ヘッドスピードが３６．０ｍ／秒と、この８０％のヘッドスピードである２８．８ｍ／秒とした。
ロフト角度が２４°のアイアンについては、ヘッドスピードが３５．５ｍ／秒と、この８０％のヘッドスピードである２８．４ｍ／秒とした。
ロフト角度が２８°のアイアンについては、ヘッドスピードが３５．０ｍ／秒と、この８０％のヘッドスピードである２８．０ｍ／秒とした。
ロフト角度が３２°のアイアンについては、ヘッドスピードが３４．５ｍ／秒と、この８０％のヘッドスピードである２７．６ｍ／秒とした。
ロフト角度が３６°のアイアンについては、ヘッドスピードが３４．０ｍ／秒と、この８０％のヘッドスピードである２７．２ｍ／秒とした。
ロフト角度が４０°のアイアンについては、ヘッドスピードが３３．５ｍ／秒と、この８０％のヘッドスピードである２６．８ｍ／秒とした。
【０１５５】
推定誤差の幅については、飛距離比率について、回帰直線により推定誤差（Ｈｚ）を求め、最大誤差から最小誤差を引いて、推定誤差の幅を求めた。この推定誤差の幅が小さいほど、全番手にわたって応答性が均一の、つまり、ヘッドスピードを調整して打撃した場合であっても、番手間の相対的な飛距離が変わらないゴルフクラブセットであるといえる。なお、最大誤差、および最小誤差の単位は、Ｈｚである。
以下、各実施例について説明する。
【０１５６】
第１実施例
ロフト角度が２０°、２４°、２８°、３２°、３６°、４０°のアイアンからなるゴルフクラブセットについて、１次共振周波数、および飛距離比率を求めた。本実施例における１次共振周波数は、ゴルフクラブシャフトの後端部を固定して、ゴルフクラブシャフトの先端部を振動させて測定したものである。下記表１乃至表７に各アイアンのゴルフクラブシャフトの長さ、１次共振周波数、および飛距離比率を示す。また、本実施例においては、ロフト角度が小さいものから、１から始まる自然数（番手）を付している。
【０１５７】
表  １
2004216108.tif 000003
【０１５８】
表    ２
2004216108.tif 000004
【０１５９】
表    ３
2004216108.tif 000005
【０１６０】
表  ４
2004216108.tif 000006
【０１６１】
表  ５
2004216108.tif 000007
【０１６２】
表  ６
2004216108.tif 000008
【０１６３】
表  ７
2004216108.tif 000009
【０１６４】
上記表１乃至表７に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表８乃至表１０に示す。また、表１１に、推定誤差の最大誤差と推定誤差の最小誤差との差である推定誤差の幅を示す。なお、表８は番手について回帰直線を求めたものであり、回帰直線の傾きが１より大きいものである。表９はロフト角度について回帰直線を求めたものであり、回帰直線の傾きが０．２５より大きいものである。表１０はゴルフクラブシャフトの長さについて回帰直線を求めたものであり、回帰直線の傾きが−０．０８未満のものである。また、下記表８乃至表１０に示す傾きの単位は、それぞれ（Ｈｚ／番号）、（Ｈｚ／°）および（Ｈｚ／ｍｍ）である。
【０１６５】
表  ８
2004216108.tif 000010
【０１６６】
表  ９
2004216108.tif 000011
【０１６７】
表１０
2004216108.tif 000012
【０１６８】
表１１
2004216108.tif 000013
【０１６９】
上記表８乃至表１０に示すように、実施例Ｎｏ．  １乃至６は、推定誤差が０．４Ｈｚ以内であった。一方、比較例Ｎｏ．  ４９は、推定誤差が０．４Ｈｚを超えていた。このため、番手ごとの飛距離比率の相対的なバランスが崩れた。
【０１７０】
第２実施例
ロフト角度が２０°、２４°、２８°、３２°、３６°、４０°のアイアンからなるゴルフクラブセットについて、１次共振周波数、および飛距離比率を求めた。本実施例における１次共振周波数は、ゴルフクラブシャフトの後端部を固定して、ゴルフクラブシャフトの先端部を振動させて測定したものである。下記表１２乃至表１８に各アイアンのゴルフクラブシャフトの長さ、１次共振周波数、および飛距離比率を示す。また、本実施例においては、ロフト角度が小さいものから、１から始まる自然数（番手）を付している。
【０１７１】
表１２
2004216108.tif 000014
【０１７２】
表１３
2004216108.tif 000015
【０１７３】
表１４
2004216108.tif 000016
【０１７４】
表１５
2004216108.tif 000017
【０１７５】
表１６
2004216108.tif 000018
【０１７６】
表１７
2004216108.tif 000019
【０１７７】
表１８
2004216108.tif 000020
【０１７８】
上記表１２乃至表１８に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表１９乃至表２１に示す。また、表２２に、推定誤差の最大誤差と推定誤差の最小誤差との差である推定誤差の幅を示す。なお、表１９は番手について回帰直線を求めたものであり、回帰直線の傾きが１以下のものである。表２０はロフト角度について回帰直線を求めたものであり、回帰直線の傾きが０．２５以下のものである。表２１はゴルフクラブシャフトの長さについて回帰直線を求めたものであり、回帰直線の傾きが−０．０８以上のものである。また、下記表１９乃至表２１に示す傾きの単位は、それぞれ（Ｈｚ／番号）、（Ｈｚ／°）および（Ｈｚ／ｍｍ）である。
【０１７９】
表１９
2004216108.tif 000021
【０１８０】
表２０
2004216108.tif 000022
【０１８１】
表２１
2004216108.tif 000023
【０１８２】
表２２
2004216108.tif 000024
【０１８３】
上記表１９乃至表２１に示すように、実施例Ｎｏ．  ７乃至１２は、推定誤差が０．４Ｈｚ以内であった。一方、比較例Ｎｏ．  ５０は、推定誤差が０．４Ｈｚを超えていた。このため、番手ごとの飛距離比率の相対的なバランスが崩れた。
【０１８４】
第３実施例
ロフト角度が２０°、２４°、２８°、３２°、３６°、４０°のアイアンからなるゴルフクラブセットについて、２次共振周波数、および飛距離比率を求めた。本実施例における２次共振周波数は、ゴルフクラブシャフトの後端部を固定して、ゴルフクラブシャフトの先端部を振動させて測定したものである。下記表２３乃至表２９に各アイアンのゴルフクラブシャフトの長さ、２次共振周波数、および飛距離比率を示す。また、本実施例においては、ロフト角度が小さいものから、１から始まる自然数（番手）を付している。
【０１８５】
表２３
2004216108.tif 000025
【０１８６】
表２４
2004216108.tif 000026
【０１８７】
表２５
2004216108.tif 000027
【０１８８】
表２６
2004216108.tif 000028
【０１８９】
表２７
2004216108.tif 000029
【０１９０】
表２８
2004216108.tif 000030
【０１９１】
表２９
2004216108.tif 000031
【０１９２】
上記表２３乃至表２９に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表３０乃至表３２に示す。また、表３３に、推定誤差の最大誤差と推定誤差の最小誤差との差である推定誤差の幅を示す。なお、表３０は番手について回帰直線を求めたものであり、回帰直線の傾きが４より大きいものである。表３１はロフト角度について回帰直線を求めたものであり、回帰直線の傾きが１より大きいものである。表３２はゴルフクラブシャフトの長さについて回帰直線を求めたものであり、回帰直線の傾きが−０．３２未満のものである。また、下記表３０乃至表３２に示す傾きの単位は、それぞれ（Ｈｚ／番号）、（Ｈｚ／°）および（Ｈｚ／ｍｍ）である。
【０１９３】
表３０
2004216108.tif 000032
【０１９４】
表３１
2004216108.tif 000033
【０１９５】
表３２
2004216108.tif 000034
【０１９６】
表３３
2004216108.tif 000035
【０１９７】
上記表３０乃至表３２に示すように、実施例Ｎｏ．  １３乃至１８は、推定誤差が２．０Ｈｚ以内であった。一方、比較例Ｎｏ．  ５１は、推定誤差が２．０Ｈｚを超えていた。このため、番手ごとの飛距離比率の相対的なバランスが崩れた。
【０１９８】
第４実施例
ロフト角度が２０°、２４°、２８°、３２°、３６°、４０°のアイアンからなるゴルフクラブセットについて、２次共振周波数、および飛距離比率を求めた。本実施例における２次共振周波数は、ゴルフクラブシャフトの後端部を固定して、ゴルフクラブシャフトの先端部を振動させて測定したものである。下記表３４乃至表４０に各アイアンのゴルフクラブシャフトの長さ、２次共振周波数、および飛距離比率を示す。また、本実施例においては、ロフト角度が小さいものから、１から始まる自然数（番手）を付している。
【０１９９】
表３４
2004216108.tif 000036
【０２００】
表３５
2004216108.tif 000037
【０２０１】
表３６
2004216108.tif 000038
【０２０２】
表３７
2004216108.tif 000039
【０２０３】
表３８
2004216108.tif 000040
【０２０４】
表３９
2004216108.tif 000041
【０２０５】
表４０
2004216108.tif 000042
【０２０６】
上記表３４乃至表４０に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表４１乃至表４３に示す。また、表４４に、推定誤差の最大誤差と推定誤差の最小誤差との差である推定誤差の幅を示す。なお、表４１は番手について回帰直線を求めたものであり、回帰直線の傾きが４以下のものである。表４２はロフト角度について回帰直線を求めたものであり、回帰直線の傾きが１以下のものである。表４３はゴルフクラブシャフトの長さについて回帰直線を求めたものであり、回帰直線の傾きが−０．３２以上のものである。また、下記表４１乃至表４３に示す傾きの単位は、それぞれ（Ｈｚ／番号）、（Ｈｚ／°）および（Ｈｚ／ｍｍ）である。
【０２０７】
表４１
2004216108.tif 000043
【０２０８】
表４２
2004216108.tif 000044
【０２０９】
表４３
2004216108.tif 000045
【０２１０】
表４４
2004216108.tif 000046
【０２１１】
上記表４１乃至表４３に示すように、実施例Ｎｏ．  １９乃至２４は、推定誤差が２．０Ｈｚ以内であった。一方、比較例Ｎｏ．  ５２は、推定誤差が２．０Ｈｚを超えていた。このため、番手ごとの飛距離比率の相対的なバランスが崩れた。
【０２１２】
第５実施例
ロフト角度が２０°、２４°、２８°、３２°、３６°、４０°のアイアンからなるゴルフクラブセットについて、１次共振周波数、および飛距離比率を求めた。本実施例における１次共振周波数は、ゴルフクラブシャフトの先端部を固定して、ゴルフクラブシャフトの後端部を振動させて測定したものである。下記表４５乃至表５１に各アイアンのゴルフクラブシャフトの長さ、１次共振周波数、および飛距離比率を示す。また、本実施例においては、ロフト角度が小さいものから、１から始まる自然数（番手）を付している。
【０２１３】
表４５
2004216108.tif 000047
【０２１４】
表４６
2004216108.tif 000048
【０２１５】
表４７
2004216108.tif 000049
【０２１６】
表４８
2004216108.tif 000050
【０２１７】
表４９
2004216108.tif 000051
【０２１８】
表５０
2004216108.tif 000052
【０２１９】
表５１
2004216108.tif 000053
【０２２０】
上記表４５乃至表５１に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表５２乃至表５４に示す。また、表５５に、推定誤差の最大誤差と推定誤差の最小誤差との差である推定誤差の幅を示す。なお、表５２は番手について回帰直線を求めたものであり、回帰直線の傾きが０．５より大きいものである。表５３はロフト角度について回帰直線を求めたものであり、回帰直線の傾きが０．１２５より大きいものである。表５４はゴルフクラブシャフトの長さについて回帰直線を求めたものであり、回帰直線の傾きが−０．０４未満のものである。また、下記表５２乃至表５４に示す傾きの単位は、それぞれ（Ｈｚ／番号）、（Ｈｚ／°）および（Ｈｚ／ｍｍ）である。
【０２２１】
表５２
2004216108.tif 000054
【０２２２】
表５３
2004216108.tif 000055
【０２２３】
表５４
2004216108.tif 000056
【０２２４】
表５５
2004216108.tif 000057
【０２２５】
上記表５２乃至表５４に示すように、実施例Ｎｏ．  ２５乃至３０は、推定誤差が０．３Ｈｚ以内であった。一方、比較例Ｎｏ．  ５３は、推定誤差が０．３Ｈｚを超えていた。このため、番手ごとの飛距離比率の相対的なバランスが崩れた。
【０２２６】
第６実施例
ロフト角度が２０°、２４°、２８°、３２°、３６°、４０°のアイアンからなるゴルフクラブセットについて、１次共振周波数、および飛距離比率を求めた。本実施例における１次共振周波数は、ゴルフクラブシャフトの先端部を固定して、ゴルフクラブシャフトの後端部を振動させて測定したものである。下記表５６乃至表６２に各アイアンのゴルフクラブシャフトの長さ、１次共振周波数、および飛距離比率を示す。また、本実施例においては、ロフト角度が小さいものから、１から始まる自然数（番手）を付している。
【０２２７】
表５６
2004216108.tif 000058
【０２２８】
表５７
2004216108.tif 000059
【０２２９】
表５８
2004216108.tif 000060
【０２３０】
表５９
2004216108.tif 000061
【０２３１】
表６０
2004216108.tif 000062
【０２３２】
表６１
2004216108.tif 000063
【０２３３】
表６２
2004216108.tif 000064
【０２３４】
上記表５６乃至表６２に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表６３乃至表６５に示す。また、表６６に、推定誤差の最大誤差と推定誤差の最小誤差との差である推定誤差の幅を示す。なお、表６３は番手について回帰直線を求めたものであり、回帰直線の傾きが０．５以下のものである。表６４はロフト角度について回帰直線を求めたものであり、回帰直線の傾きが０．１２５以下のものである。表６５はゴルフクラブシャフトの長さについて回帰直線を求めたものであり、回帰直線の傾きが−０．０４以上のものである。また、下記表６３乃至表６５に示す傾きの単位は、それぞれ（Ｈｚ／番号）、（Ｈｚ／°）および（Ｈｚ／ｍｍ）である。
【０２３５】
表６３
2004216108.tif 000065
【０２３６】
表６４
2004216108.tif 000066
【０２３７】
表６５
2004216108.tif 000067
【０２３８】
表６６
2004216108.tif 000068
【０２３９】
上記表６３乃至表６５に示すように、実施例Ｎｏ．  ３１乃至３６は、推定誤差が０．３Ｈｚ以内であった。一方、比較例Ｎｏ．  ５４は、推定誤差が０．３Ｈｚを超えていた。このため、番手ごとの飛距離比率の相対的なバランスが崩れた。
【０２４０】
第７実施例
ロフト角度が２０°、２４°、２８°、３２°、３６°、４０°のアイアンからなるゴルフクラブセットについて、２次共振周波数、および飛距離比率を求めた。本実施例における２次共振周波数は、ゴルフクラブシャフトの先端部を固定して、ゴルフクラブシャフトの後端部を振動させて測定したものである。下記表６７乃至表７３に各アイアンのゴルフクラブシャフトの長さ、２次共振周波数、および飛距離比率を示す。また、本実施例においては、ロフト角度が小さいものから、１から始まる自然数（番手）を付している。
【０２４１】
表６７
2004216108.tif 000069
【０２４２】
表６８
2004216108.tif 000070
【０２４３】
表６９
2004216108.tif 000071
【０２４４】
表７０
2004216108.tif 000072
【０２４５】
表７１
2004216108.tif 000073
【０２４６】
表７２
2004216108.tif 000074
【０２４７】
表７３
2004216108.tif 000075
【０２４８】
上記表６７乃至表７３に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表７４乃至表７６に示す。また、表７７に、推定誤差の最大誤差と推定誤差の最小誤差との差である推定誤差の幅を示す。なお、表７４は番手について回帰直線を求めたものであり、回帰直線の傾きが４より大きいものである。表７５はロフト角度について回帰直線を求めたものであり、回帰直線の傾きが１より大きいものである。表７６はゴルフクラブシャフトの長さについて回帰直線を求めたものであり、回帰直線の傾きが−０．３２未満のものである。また、下記表７４乃至表７６に示す傾きの単位は、それぞれ（Ｈｚ／番号）、（Ｈｚ／°）および（Ｈｚ／ｍｍ）である。
【０２４９】
表７４
2004216108.tif 000076
【０２５０】
表７５
2004216108.tif 000077
【０２５１】
表７６
2004216108.tif 000078
【０２５２】
表７７
2004216108.tif 000079
【０２５３】
上記表７４乃至表７６に示すように、実施例Ｎｏ．  ３７乃至４２は、推定誤差が２．０Ｈｚ以内であった。一方、比較例Ｎｏ．  ５５は、推定誤差が２．０Ｈｚを超えていた。このため、番手ごとの飛距離比率の相対的なバランスが崩れた。
【０２５４】
第８実施例
ロフト角度が２０°、２４°、２８°、３２°、３６°、４０°のアイアンからなるゴルフクラブセットについて、２次共振周波数、および飛距離比率を求めた。本実施例における２次共振周波数は、ゴルフクラブシャフトの先端部を固定して、ゴルフクラブシャフトの後端部を振動させて測定したものである。下記表７８乃至表８４に各アイアンのゴルフクラブシャフトの長さ、２次共振周波数、および飛距離比率を示す。また、本実施例においては、ロフト角度が小さいものから、１から始まる自然数（番手）を付している。
【０２５５】
表７８
2004216108.tif 000080
【０２５６】
表７９
2004216108.tif 000081
【０２５７】
表８０
2004216108.tif 000082
【０２５８】
表８１
2004216108.tif 000083
【０２５９】
表８２
2004216108.tif 000084
【０２６０】
表８３
2004216108.tif 000085
【０２６１】
表８４
2004216108.tif 000086
【０２６２】
上記表７８乃至表８４に示すゴルフクラブセットについて、番手、ロフト角度、およびゴルフクラブシャフトの長さについて、回帰直線を求め、各ゴルフクラブセットにおける推定誤差の最大誤差および最小誤差を求めた。これらの結果を下記表８５乃至表８７に示す。また、表８８に、推定誤差の最大誤差と推定誤差の最小誤差との差である推定誤差の幅を示す。なお、表８５は番手について回帰直線を求めたものであり、回帰直線の傾きが４以下のものである。表８６はロフト角度について回帰直線を求めたものであり、回帰直線の傾きが１以下のものである。表８７はゴルフクラブシャフトの長さについて回帰直線を求めたものであり、回帰直線の傾きが−０．３２以上のものである。また、下記表８５乃至表８７に示す傾きの単位は、それぞれ（Ｈｚ／番号）、（Ｈｚ／°）および（Ｈｚ／ｍｍ）である。
【０２６３】
表８５
2004216108.tif 000087
【０２６４】
表８６
2004216108.tif 000088
【０２６５】
表８７
2004216108.tif 000089
【０２６６】
表８８
2004216108.tif 000090
【０２６７】
上記表８５乃至表８７に示すように、実施例Ｎｏ．  ４３乃至４８は、推定誤差が２．０Ｈｚ以内であった。一方、比較例Ｎｏ．  ５６は、推定誤差が２．０Ｈｚを超えていた。このため、番手ごとの飛距離比率の相対的なバランスが崩れた。
【０２６８】
【発明の効果】
以上、詳述したように、本発明によれば、ヘッドスピードを調整して打撃した場合であっても、番手間の相対的な飛距離が変わらないゴルフクラブセットおよびゴルフクラブシャフトセットを得ることができる。
【図面の簡単な説明】
【図１】横軸に番手、ロフト角度、およびゴルフクラブシャフトの長さをとり、縦軸に共振周波数をとって、番手、ロフト角度、およびゴルフクラブシャフトの長さと、共振周波数との関係を模式的に示すグラフである。
【図２】本発明の実施形態に係るゴルフクラブセットの一例であるゴルフクラブセットを示す模式図である。
【図３】本発明のゴルフクラブセットの各ゴルフクラブヘッドのロフト角度を測定する測定器の概略斜視図である。
【図４】図３に示す測定器の要部を説明する説明図である。
【図５】図３に示す測定器でロフト角度を測定する方法を説明する説明図である。
【図６】図３に示す測定器でロフト角度を測定する方法を説明する他の説明図である。
【図７】図３に示す測定器でロフト角度を測定する方法を説明する他の説明図である。
【図８】本発明のゴルフクラブセットのゴルフクラブシャフトの共振周波数を測定する測定装置を示す模式図である。
【図９】（ａ）および（ｂ）は、図８に示す測定装置における固定端を示す模式図である。
【図１０】従来のゴルフクラブの一例を説明する図である。
【図１１】従来のゴルフクラブの他の例を説明する図である。
【図１２】従来のゴルフクラブの他の例を説明する図である。
【図１３】本発明のゴルフクラブセットのゴルフクラブシャフトの共振周波数を測定する測定装置の他の例を説明する説明図である。
【図１４】（ａ）および（ｂ）は、縦軸に相対加速度をとり、横軸に周波数をとって、ゴルフクラブシャフトの共振周波数の測定装置で得られる周波数特性の一例を示す図である。
【図１５】本実施例に使用される共振周波数の測定装置を示す模式図である。
【図１６】ベースバンド解析により得られたゴルフクラブシャフトの周波数応答関数Ｈ１  のスペクトル波形の一例を示すグラフである。
【図１７】１次共振周波数のズーム解析により得られた周波数応答関数Ｈ１  のスペクトル波形の一例を示すグラフである。
【図１８】２次共振周波数のズーム解析により得られた周波数応答関数Ｈ１  のスペクトル波形の結果の一例を示すグラフである。
【図１９】図１８に示す２次共振周波数の周波数応答関数Ｈ１  のスペクトル波形を移動平均処理することにより得られた共振ピークの一例を示すグラフである。
【符号の説明】
１０  ゴルフクラブセット
１２  ゴルフクラブシャフト
１４  グリップ
１６  ゴルフクラブヘッド
１８  ホーゼル
２０  ソケット
２２  フェース面
３０  ロフト角度測定器
４０  分度器
４２、８０  固定治具
４４  加速度ピックアップ
４６  チャージアンプ
４８  ＦＦＴアナライザ
５０  コンピュータ
５２  重量体
６０、６０ａ  測定装置
７０  加振器
７２  インピーダンスヘッド
７４  アンプ
【図１】
2004216108.tif 000091
【図２】
2004216108.tif 000092
【図３】
2004216108.tif 000093
【図４】
2004216108.tif 000094
【図５】
2004216108.tif 000095
【図６】
2004216108.tif 000096
【図７】
2004216108.tif 000097
【図８】
2004216108.tif 000098
【図９】
2004216108.tif 000099
【図１０】
2004216108.tif 000100
【図１１】
2004216108.tif 000101
【図１２】
2004216108.tif 000102
【図１３】
2004216108.tif 000103
【図１４】
2004216108.tif 000104
【図１５】
2004216108.tif 000105
【図１６】
2004216108.tif 000106
【図１７】
2004216108.tif 000107
【図１８】
2004216108.tif 000108
【図１９】
2004216108.tif 000109